(57)【要約】  本発明の実施例は、データ指示方法及び関連製品を開示し、当該方法は、端末がネットワーク側機器からの下りリンク制御シグナリングを受信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、前記端末が前記第１の情報フィールド及び前記第２の情報フィールドに基づき、前記新規のトランスポートブロックに含まれるコードブロックグループの数量を確定することとを含む。本発明の実施例は、フィードバックされる上りリンク制御シグナリングのビット数を確定し、上りリンク制御シグナリングオーバーヘッドを低減するために寄与する。
2020530215.tif 000002
【特許請求の範囲】
【請求項１】
データ指示方法であって、
端末がネットワーク側機器からの下りリンク制御シグナリングを受信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記端末が前記第１の情報フィールド及び前記第２の情報フィールドに基づき、前記新規のトランスポートブロックに含まれるコードブロックグループの数量を確定することとを含むことを特徴とするデータ指示方法。
【請求項２】
前記第２の情報フィールドはビットマップ（Ｂｉｔｍａｐ）の方式で、前記下りリンク制御シグナリングによってスケジューリングされるコードブロックグループを指示することを特徴とする請求項１に記載の方法。
【請求項３】
前記端末が前記第１の情報フィールド及び前記第２の情報フィールドに基づき、前記新規のトランスポートブロックに含まれるコードブロックグループの数量を確定することは、
前記端末が前記第１の情報フィールドに基づき、前記下りリンク制御シグナリングによってスケジューリングされるトランスポートブロックが前記新規のトランスポートブロックであることを確定することと、
前記端末が前記第２の情報フィールドにおける先頭からＫ個目までのビットの値がいずれも予め設定された値である、又は最後のＫ個のビットの値がいずれも前記予め設定された値であることを確定し、ただしＫは正の整数であることと、
前記端末は前記新規のトランスポートブロックに含まれるコードブロックグループの数量がＫであることを確定することとを含むことを特徴とする請求項１又は請求項２に記載の方法。
【請求項４】
前記端末が前記第１の情報フィールド及び前記第２の情報フィールドに基づき、前記新規のトランスポートブロックに含まれるコードブロックグループの数量を確定した後に、前記方法はさらに、
前記端末が前記ネットワーク側機器に、前記新規のトランスポートブロックに関するＫビットに対する確認又は非確認ＡＣＫ又はＮＡＣＫ情報を送信することを含むことを特徴とする請求項３に記載の方法。
【請求項５】
前記第１の情報フィールドは新規データ指示情報フィールドＮＤＩであることを特徴とする請求項１に記載の方法。
【請求項６】
データ指示方法であって、
ネットワーク側機器が端末に対して下りリンク制御シグナリングを送信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記ネットワーク側機器が前記第１の情報フィールド及び前記第２の情報フィールドによって前記新規のトランスポートブロックに含まれるコードブロックグループの数量を指示することとを含むことを特徴とするデータ指示方法。
【請求項７】
前記第２の情報フィールドはビットマップＢｉｔｍａｐの方式で、前記下りリンク制御シグナリングによってスケジューリングされるコードブロックグループは前記新規のトランスポートブロックにおける前記コードブロックグループであることを指示することを特徴とする請求項６に記載の方法。
【請求項８】
前記ネットワーク側機器が前記第１の情報フィールド及び前記第２の情報フィールドによって前記新規のトランスポートブロックに含まれるコードブロックグループの数量を指示することは、
前記ネットワーク側機器が前記第１の情報フィールドにより前記下りリンク制御シグナリングによってスケジューリングされるトランスポートブロックが前記新規のトランスポートブロックであることを指示することと、
前記ネットワーク側機器が前記第２の情報フィールドにおける先頭からＫ個目までのビットの値がいずれも予め設定された値である、又は最後のＫ個のビットの値がいずれも前記予め設定された値であることを指示し、ただしＫは正の整数であることと、
前記ネットワーク側機器が前記新規のトランスポートブロックに含まれるコードブロックグループの数量がＫであることを指示することとを含むことを特徴とする請求項６又は請求項７に記載の方法。
【請求項９】
前記ネットワーク側機器が前記第１の情報フィールド及び前記第２の情報フィールドによって前記新規のトランスポートブロックに含まれるコードブロックグループの数量を指示した後に、前記方法はさらに、
前記ネットワーク側機器が前記端末によって送信される前記新規のトランスポートブロックに関するＫビットに対する確認又は非確認ＡＣＫ又はＮＡＣＫ情報を受信することを含む特徴とする請求項８に記載の方法。
【請求項１０】
前記第１の情報フィールドは新規データ指示情報フィールドＮＤＩであることを特徴とする請求項６に記載の方法。
【請求項１１】
端末であって、処理ユニットと、通信ユニットとを含み、
前記処理ユニットは、前記通信ユニットによってネットワーク側機器からの下りリンク制御シグナリングを受信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドに基づき、前記新規のトランスポートブロックに含まれるコードブロックグループの数量を確定するためにも用いられることを特徴とする端末。
【請求項１２】
前記第２の情報フィールドはビットマップＢｉｔｍａｐの方式で、前記下りリンク制御シグナリングによってスケジューリングされるコードブロックグループを指示することを特徴とする請求項１１に記載の端末。
【請求項１３】
前記第１の情報フィールド及び前記第２の情報フィールドに基づき、前記新規のトランスポートブロックに含まれるコードブロックグループの数量を確定することに関し、前記処理ユニットは具体的に、前記第１の情報フィールドに基づき、前記下りリンク制御シグナリングによってスケジューリングされるトランスポートブロックが前記新規のトランスポートブロックであることを確定し、前記第２の情報フィールドにおける先頭からＫ個目までのビットの値がいずれも予め設定された値である、又は最後のＫ個のビットの値がいずれも前記予め設定された値であることを確認し、ただしＫは正の整数であり、前記新規のトランスポートブロックに含まれるコードブロックグループの数量がＫであることを確定するために用いられることを特徴とする請求項１１又は請求項１２に記載の端末。
【請求項１４】
ネットワーク側機器であって、処理ユニットと、通信ユニットとを含み、
前記処理ユニットは、前記通信ユニットによって端末に下りリンク制御シグナリングを送信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドにより前記新規のトランスポートブロックに含まれるコードブロックグループの数量を指示するためにも用いられることを特徴とするネットワーク側機器。
【請求項１５】
前記第２の情報フィールドはビットマップＢｉｔｍａｐの方式で、前記下りリンク制御シグナリングによってスケジューリングされるコードブロックグループを指示することを特徴とする請求項１４に記載のネットワーク側機器。
【請求項１６】
前記第１の情報フィールド及び前記第２の情報フィールドにより前記新規のトランスポートブロックに含まれるコードブロックグループの数量を指示することに関し、前記処理ユニットは具体的に、前記第１の情報フィールドにより前記下りリンク制御シグナリングによってスケジューリングされるトランスポートブロックが前記新規のトランスポートブロックであることを指示し、前記第２の情報フィールドにおける先頭からＫ個目までのビットの値がいずれも予め設定された値である、又は最後のＫ個のビットの値がいずれも前記予め設定された値であることを指示し、ただしＫは正の整数であり、前記新規のトランスポートブロックに含まれるコードブロックグループの数量がＫであることを指示するために用いられることを特徴とする請求項１４又は請求項１５に記載のネットワーク側機器。
【請求項１７】
端末であって、プロセッサと、メモリと、通信インタフェースと、１つ又は複数のプログラムとを含み、前記１つ又は複数のプログラムは前記メモリに記憶されており、且つ、前記プロセッサによって実行されるように配置され、前記プログラムは請求項１〜請求項５のいずれか１項に記載の方法のステップを実行するためのコマンドを含むことを特徴とする端末。
【請求項１８】
ネットワーク側機器であって、プロセッサと、メモリと、送受信器と、１つ又は複数のプログラムとを含み、前記１つ又は複数のプログラムは前記メモリに記憶されており、且つ、前記プロセッサによって実行されるように配置され、前記プログラムは請求項６〜請求項１０のいずれか１項に記載の方法のステップを実行するためのコマンドを含むことを特徴とするネットワーク側機器。
【請求項１９】
コンピュータ可読記憶媒体であって、電子データを交換するためのコンピュータプログラムを記憶し、ただし、前記コンピュータプログラムにより、コンピュータは請求項１〜請求項５のいずれか１項に記載の方法を実行することを特徴とするコンピュータ可読記憶媒体。
【請求項２０】
コンピュータ可読記憶媒体であって、電子データを交換するためのコンピュータプログラムを記憶し、ただし、前記コンピュータプログラムにより、コンピュータは請求項６〜請求項１０のいずれか１項に記載の方法を実行することを特徴とするコンピュータ可読記憶媒体。
【発明の詳細な説明】
【技術分野】
【０００１】
本発明は、通信技術の分野に関し、特に、データ指示方法及び関連製品に関する。
【背景技術】
【０００２】
第５世代移動通信技術（５ｔｈ−Ｇｅｎｅｒａｔｉｏｎ、略称５Ｇ）ＮＲは、第３世代移動通信システム標準化プロジェクト（３ｒｄ  Ｇｅｎｅｒａｔｉｏｎ  Ｐａｒｔｎｅｒｓｈｉｐ  Ｐｒｏｊｅｃｔ、略称３ＧＰＰ）組織の中で最近提案された新しい課題である。新世代５Ｇ技術の検討が深入りするのに伴い、一方では、通信システムは後方互換性であるため、後に開発される新しい技術は、既に標準化された既存の技術と互換性を有するものが一般的であるが、他方では、第４世代移動通信技術（ｔｈｅ  ４ｔｈ  Ｇｅｎｅｒａｔｉｏｎ  ｍｏｂｉｌｅ  ｃｏｍｍｕｎｉｃａｔｉｏｎ、略称４Ｇ）ＬＴＥには既に大量の設計があるから、互換性を実現するためには、５Ｇ技術の柔軟性を大いに犠牲にする必要があるが、これによって性能が低下する。そのため、現在、３ＧＰＰ組織の中で関連研究は２つの方向で行われている。そのうち、後方互換性を考慮しない技術討議グループは、５Ｇ  ＮＲと称される。
【０００３】
ＬＴＥシステムにおいて、トランスポートブロック（Ｔｒａｎｓｐｏｒｔ  ｂｌｏｃｋ、略称ＴＢ）とは、媒体アクセス制御層（Ｍｅｄｉａ  Ａｃｃｅｓｓ  Ｃｏｎｔｒｏｌ、略称ＭＡＣ）プロトコルデータユニット（Ｐｒｏｔｏｃｏｌ  Ｄａｔａ  Ｕｎｉｔ、略称ＰＤＵ）を含む１つのデータブロックを指し、このデータブロックは１つの伝送時間間隔（Ｔｒａｎｓｍｉｓｓｉｏｎ  Ｔｉｍｅ  Ｉｎｔｅｒｖａｌ、略称ＴＴＩ）において伝送され、これはハイブリッド自動再送要求（Ｈｙｂｒｉｄ  Ａｕｔｏｍａｔｉｃ  Ｒｅｐｅａｔ  Ｒｅｑｕｅｓｔ、略称ＨＡＲＱ）でデータの再送が行われるユニットでもある。ＬＴＥシステムにおいて、下りリンク制御シグナリングにおける新規データ指示シグナリング（Ｎｅｗ  Ｄａｔａ  Ｉｎｄｉｃａｔｉｏｎ、略称ＮＤＩ）は、現時点でスケジューリングされるトランスポートブロックは新規データであるか否かを指示するために用いられる。現時点でスケジューリングされるトランスポートブロックが新規データである場合、ＮＤＩ情報フィールドの値を反転する。すなわち、現時点でスケジューリングされるトランスポートブロックの前に行われた直近のトランスポートブロックスケジューリングに対応するＮＤＩの値が１であれば、現時点でスケジューリングされるのは新規データである場合、ＮＤＩを０に反転し、再送データである場合、ＮＤＩを１に保持する。ＮＤＩは反転の方式で設定されるため、端末は現時点でスケジューリングされるトランスポートブロックが前回スケジューリングされるトランスポートブロックに対して新規データであることは確定できるが、現時点で受信されるトランスポートブロックは１回目に伝送されるものであるか否かを正確に知ることはできない。
【０００４】
現行の５Ｇ／ＮＲシステムにおいて、伝送効率を向上させ、コードブロックグループに基づくフィードバック及び再送に対するサポートを確定するためには、１つのコードブロックグループは少なくとも１つのコードブロックを含み、１つのトランスポートブロックは少なくとも１つのコードブロックグループを含む。送信端はトランスポートブロック全体を再送する必要がなく、復号に失敗するコードブロックグループ内のコードブロックを再送するだけでよいため、基地局は下りリンク制御シグナリングによって１つのトランスポートブロックに含まれるコードブロックグループの数量を動的に指示することができる。どのように、下りリンク制御シグナリングにおいてコードブロックグループを動的に指示するかは、一つの解決すべき課題である。
【発明の概要】
【発明が解決しようとする課題】
【０００５】
本発明の実施例は、フィードバックされる上りリンク制御シグナリングのビット数を確定し、上りリンク制御シグナリングオーバーヘッドを低減するために、データ指示方法及び関連製品を提供する。
【課題を解決するための手段】
【０００６】
第１の態様として、本発明の実施例はデータ指示方法を提供し、当該方法は、
端末がネットワーク側機器からの下りリンク制御シグナリングを受信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記端末が前記第１の情報フィールド及び前記第２の情報フィールドに基づき、前記新規のトランスポートブロックに含まれるコードブロックグループの数量を確定することとを含む。
【０００７】
第２の態様として、本発明の実施例はデータ指示方法を提供し、当該方法は、
ネットワーク側機器が端末に下りリンク制御シグナリングを送信し、ただし前記下りリンク制御シグナリングは第１の情報フィールド及び第２の情報フィールドを含み、ただし前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記ネットワーク側機器が前記第１の情報フィールド及び前記第２の情報フィールドによって前記新規のトランスポートブロックに含まれるコードブロックグループの数量を指示することとを含む。
【０００８】
第３の態様として、本発明の実施例は端末を提供し、当該端末は上記方法の設計における端末の挙動を実現する機能を有する。前記機能はハードウェアによって実現されてもよければ、ハードウェアが対応するソフトウェアを実行することで実現されてもよい。前記ハードウェア又はソフトウェアは上記機能に対応する１つ又は複数のモジュールを含む。
【０００９】
一つの可能な設計において、端末はプロセッサを含み、前記プロセッサは端末による上記方法における対応する機能の実行をサポートするように配置される。さらに、端末は送受信器をさらに含んでもよく、前記送受信器は端末とネットワーク側機器との間の通信をサポートするために用いられる。さらに、端末はメモリをさらに含んでもよく、前記メモリはプロセッサに接続するために用いられ、それには端末に必要なプログラムコマンド及びデータが保存される。
【００１０】
第４の態様として、本発明の実施例はネットワーク側機器を提供し、当該ネットワーク側機器は上記方法の設計におけるネットワーク側機器の挙動を実現する機能を有する。前記機能はハードウェアによって実現されてもよければ、ハードウェアが対応するソフトウェアを実行することで実現されてもよい。前記ハードウェア又はソフトウェアは上記機能に対応する１つ又は複数のモジュールを含む。
【００１１】
一つの可能な設計において、ネットワーク側機器はプロセッサを含み、前記プロセッサはネットワーク側機器による上記方法における対応する機能の実行をサポートするように配置される。さらに、ネットワーク側機器は送受信器をさらに含んでもよく、前記送受信器はネットワーク側機器と端末との間の通信をサポートするために用いられる。さらに、ネットワーク側機器はメモリをさらに含んでもよく、前記メモリはプロセッサに接続するために用いられ、それにはネットワーク側機器に必要なプログラムコマンド及びデータが保存される。
【００１２】
第５の態様として、本発明の実施例は端末を提供し、当該端末はプロセッサ、メモリ、通信インタフェース及び１つ又は複数のプログラムを含み、ただし、前記１つ又は複数のプログラムは前記メモリに記憶されており、且つ、前記プロセッサによって実行されるように配置され、前記プログラムは本発明の実施例の第１の態様によるいずれかの方法のステップを実行するためのコマンド含む。
【００１３】
第６の態様として、本発明の実施例はネットワーク側機器を提供し、当該ネットワーク側機器はプロセッサ、メモリ、送受信器及び１つ又は複数のプログラムを含み、ただし、前記１つ又は複数のプログラムは前記メモリに記憶されており、且つ、前記プロセッサによって実行されるように配置され、前記プログラムは本発明の実施例の第２の態様によるいずれかの方法のステップを実行するためのコマンドを含む。
【００１４】
第７の態様として、本発明の実施例はコンピュータ可読記憶媒体を提供し、ただし、前記コンピュータ可読記憶媒体は電子データを交換するためのコンピュータプログラムを記憶し、なお、前記コンピュータプログラムにより、コンピュータは本発明の実施例の第１の態様によるいずれかの方法に説明される一部又は全てのステップを実行する。
【００１５】
第８の態様として、本発明の実施例はコンピュータ可読記憶媒体を提供し、ただし、前記コンピュータ可読記憶媒体は電子データを交換するためのコンピュータプログラムを記憶し、なお、前記コンピュータプログラムにより、コンピュータは本発明の実施例の第２の態様によるいずれかの方法に説明される一部又は全てのステップを実行する。
【００１６】
第９の態様として、本発明の実施例はコンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは本発明の実施例の第１の態様によるいずれかの方法に説明される一部又は全てのステップを実行する。当該コンピュータプログラム製品は１つのソフトウェアインストールパッケージであってもよい。
【００１７】
第１０の態様として、本発明の実施例はコンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは本発明の実施例の第２の態様によるいずれかの方法に説明される一部又は全てのステップを実行する。当該コンピュータプログラム製品は１つのソフトウェアインストールパッケージであってもよい。
【発明の効果】
【００１８】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【図面の簡単な説明】
【００１９】
以下、実施例又は従来技術の説明で使用される各図について簡単に紹介する。
【図１】図１は、本発明の実施例によって提供される一つの可能な通信システムのネットワーク構成を示す図である。
【図２Ａ】図２Ａは、本発明の実施例によって提供されるデータ指示方法の流れ模式図である。
【図２Ｂ】図２Ｂは、本発明の実施例によって提供される別のデータ指示方法の流れ模式図である。
【図３】図３は、本発明の実施例によって提供される一つの５Ｇ  ＮＲシステムシーンにおけるデータ指示方法の模式図である。
【図４】図４は、本発明の実施例によって提供される端末の構造模式図である。
【図５】図５は、本発明の実施例によって提供されるネットワーク側機器の構造模式図である。
【図６】図６は、本発明の実施例によって提供される端末の機能ユニットによる構成ブロック図である。
【図７】図７は、本発明の実施例によって提供されるネットワーク側機器の機能ユニットによる構成ブロック図である。
【図８】図８は、本発明の実施例によって提供される別の端末の構造模式図である。
【発明を実施するための形態】
【００２０】
以下、本発明の実施例による技術的解決手段を、各図を参照して説明する。
【００２１】
図１は、本発明の実施例によって提供される一つの例示的な通信システムの可能なネットワーク構成である。図１が参照されるように、当該例示的な通信システムは、例えばグローバル移動体通信システム（Ｇｌｏｂａｌ  Ｓｙｓｔｅｍ  ｆｏｒ  Ｍｏｂｉｌｅ  ｃｏｍｍｕｎｉｃａｔｉｏｎｓ、略称ＧＳＭ）、符号分割多重接続（Ｃｏｄｅ  Ｄｉｖｉｓｉｏｎ  Ｍｕｌｔｉｐｌｅ  Ａｃｃｅｓｓ、略称ＣＤＭＡ）システム、時分割多重接続（Ｔｉｍｅ  Ｄｉｖｉｓｉｏｎ  Ｍｕｌｔｉｐｌｅ  Ａｃｃｅｓｓ、略称ＴＤＭＡ）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、略称ＷＣＤＭＡ）、周波数分割多重接続（Ｆｒｅｑｕｅｎｃｙ  Ｄｉｖｉｓｉｏｎ  Ｍｕｌｔｉｐｌｅ  Ａｄｄｒｅｓｓｉｎｇ、略称ＦＤＭＡ）システム、直交周波数分割多重接続（Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ、略称ＯＦＤＭＡ）システム、シングルキャリアＦＤＭＡ（ＳＣ−ＦＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）システム、ＬＴＥシステム、５Ｇ／ＮＲシステム及びその他の通信システムとすることができる。当該例示的な通信システムは具体的にネットワーク側機器及び端末を含み、端末はネットワーク側機器によって提供される移動通信ネットワークにアクセスすると、端末とネットワーク側機器との間で無線リンクを介して通信可能に接続され、当該通信接続の方式はシングルリンク方式、デュアルリンク方式又はマルチリンク方式とすることができ、通信接続の方式がシングルリンク方式である場合、ネットワーク側機器はＬＴＥ基地局又はＮＲ基地局（ｇＮＢ基地局とも称する）とすることができ、通信方式がデュアルリンク方式であり（具体的にはキャリアアグリゲーション（ＣＡ）技術、又は複数のネットワーク側機器により実現することができる）、且つ、端末が複数のネットワーク側機器に接続される場合、当該複数のネットワーク側機器は主基地局（ＭＣＧ）及び副基地局（ＳＣＧ）とすることができ、基地局の間ではバックホール（ｂａｃｋｈａｕｌ）によってデータの返送を行い、主基地局はＬＴＥ基地局とし、副基地局はＬＴＥ基地局とすることができる、又は、主基地局はＮＲ基地局とし、副基地局はＬＴＥ基地局とすることができる、又は、主基地局はＮＲ基地局とし、副基地局はＮＲ基地局とすることができる。
【００２２】
本発明の実施例において、用語「ネットワーク」と「システム」は常に入れ替わって使用されるが、当業者はその意味を理解することができる。本発明の実施例に係る端末は、無線通信機能を有する様々なハンドヘルド機器、車載機器、ウェアラブル機器、コンピューティング機器又は無線モデムに接続されるその他の処理機器、及び様々な形式のユーザ機器（Ｕｓｅｒ  Ｅｑｕｉｐｍｅｎｔ、略称ＵＥ）、移動局（Ｍｏｂｉｌｅ  Ｓｔａｔｉｏｎ、略称ＭＳ）、端末機器（ｔｅｒｍｉｎａｌ  ｄｅｖｉｃｅ）等を含むことができる。説明の便宜上、上述した機器は一括して端末と称する。
【００２３】
図２Ａは、本発明の実施例によって提供されるデータ指示方法である。図２Ａが参照されるように、当該方法は２ａ０１部分、２ａ０２部分及び２ａ０３部分を含む。
２ａ０１部分において、ネットワーク側機器は端末に下りリンク制御シグナリングを送信する。
【００２４】
２ａ０２部分において、前記端末は前記ネットワーク側機器からの前記下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられる。
【００２５】
ただし、前記第１の情報フィールド及び前記第２の情報フィールドはさらに、前記新規のトランスポートブロックに含まれるコードブロックグループの数量を指示するためにも用いられる。
【００２６】
ただし、前記新規のトランスポートブロックは具体的に以下の２種の状況を含む。
１．前記新規のトランスポートブロックは基地局によって１回目に送信されるトランスポートブロックである。
２．前記新規のトランスポートブロックは前記新規のトランスポートブロックの１つ前のトランスポートブロックと異なる。
【００２７】
ただし、前記新規のトランスポートブロックが前記新規のトランスポートブロックの１つ前のトランスポートブロックと異なることとは具体的に、前記新規のトランスポートブロックに含まれるデータ情報が前記１つ前のトランスポートブロックに含まれるデータ情報と異なることである。
【００２８】
ただし、前記第２の情報フィールドが前記下りリンク制御シグナリングによってスケジューリングされるコードブロックグループを指示するために用いられることは、具体的に以下の２種の状況を含む。
１．前記第２の情報フィールドは前記下りリンク制御シグナリングによってスケジューリングされるコードブロックグループの数量を指示するために用いられる。
２．前記第２の情報フィールドは、前記下りリンク制御シグナリングに対応するスケジューリングリソースには前記コードブロックグループがキャリーされるか否かを指示するために用いられる。
【００２９】
ただし、前記下りリンク制御シグナリングによってスケジューリングされるトランスポートブロックは少なくとも１つのコードブロックグループを含み、前記コードブロックグループは少なくとも１つのコードブロックを含む。当該トランスポートブロックにおけるコードブロックグループの分割方策は無作為分割方策、データ量均等分割方策、又は特定のサービスニーズに基づく分割方策等とすることができ、本発明の実施例において、予め設定されたトランスポートブロックにおけるコードブロックグループの分割方策が限定されるものではない。
【００３０】
２ａ０３部分において、前記端末は前記第１の情報フィールド及び前記第２の情報フィールドに基づき、前記新規のトランスポートブロックに含まれるコードブロックグループの数量を確定する。
【００３１】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００３２】
一つの可能な例において、前記第２の情報フィールドはビットマップファイル（Ｂｉｔｍａｐ）の方式で、前記下りリンク制御シグナリングによってスケジューリングされるコードブロックグループを指示する。
【００３３】
ただし、前記第２の情報フィールドのビット長はプロトコルによって取り決められるか、又はネットワーク機器によって配置される。
【００３４】
一つの可能な例において、前記端末が前記第１の情報フィールド及び前記第２の情報フィールドに基づき、前記新規のトランスポートブロックに含まれるコードブロックグループの数量を確定することは、
前記端末が前記第１の情報フィールドに基づき、前記下りリンク制御シグナリングによってスケジューリングされるトランスポートブロックが前記新規のトランスポートブロックであることを確定することと、
前記端末が前記第２の情報フィールドにおける先頭からＫ個目までのビットの値がいずれも予め設定された値である、又は最後のＫ個のビットの値がいずれも前記予め設定された値であることを確定し、ただしＫは正の整数であることと、
前記端末は前記新規のトランスポートブロックに含まれるコードブロックグループの数量がＫであることを確定することとを含む。
【００３５】
ただし、前記予め設定された値は１又は０とすることができ、前記第２の情報フィールドの先頭からＫ個目までのビットの値がいずれも１もしくは０であるか、又は最後のＫ個のビットの値がいずれも１もしくは０である場合、前記新規のトランスポートブロックに含まれるコードブロックグループの数量はＫである。
【００３６】
例えば、前記予め設定された値は１であり、前記第２の情報フィールドが｛１，１，１，０｝である場合、前記新規のトランスポートブロックは３つのコードブロックグループを有することを表し、ただし数値が１である場合、当該スケジューリングリソースには伝送すべきのコードブロックグループが含まれることを表し、数値が０である場合、当該スケジューリングリソースには伝送すべきのコードブロックグループがないことを表す。
【００３７】
以上から分かるように、本例において、端末が第２の情報フィールドにおける予め設定された値に基づきコードブロックグループの数量を確定することにより、フィードバックされる上りリンク制御シグナリングのビット数を確定する際の利便性を向上させるために寄与する。
【００３８】
この可能な例において、前記端末が前記第１の情報フィールド及び前記第２の情報フィールドに基づき、前記新規のトランスポートブロックに含まれるコードブロックグループの数量を確定した後に、前記方法はさらに、
前記端末が前記ネットワーク側機器に、前記新規のトランスポートブロックに関するＫビットに対する確認又は非確認（ＡＣＫ又はＮＡＣＫ）情報を送信することを含む。
【００３９】
以上から分かるように、本例において、端末は前記新規のトランスポートブロックに含まれるコードブロックグループの数量を確定する際、前記ネットワーク側機器に、前記トランスポートブロックに関するＫビットに対する確認／非確認（ＡＣＫ／ＮＡＣＫ）情報を送信することにより、ネットワーク側機器がトランスポートブロックの伝送が完了するか否か、又は再送する必要があるか否かを確定するために役立ち、移動通信システムの完備性を向上させるために寄与する。
【００４０】
一つの可能な例において、前記第１の情報フィールドは新規データ指示情報フィールド（Ｎｅｗ  Ｄａｔａ  Ｉｎｄｉｃａｔｉｏｎ、略称ＮＤＩ）である。
【００４１】
ただし、前記端末が前記第１の情報フィールドに基づき、前記下りリンク制御シグナリングによってスケジューリングされるトランスポートブロックが前記新規のトランスポートブロックであることを確定することの具体的な実現形態は、以下のとおりであってもよい。
前記第１の情報フィールドの値が１であり、且つ、前記トランスポートブロックの１つ前のトランスポートブロックをスケジューリングする下りリンク制御シグナリングにおける第１の情報フィールドの値が０である場合、前記端末は前記下りリンク制御シグナリングによってスケジューリングされるトランスポートブロックが新規のトランスポートブロックであることを確定し、
前記第１の情報フィールドの値が０であり、且つ、前記トランスポートブロックの１つ前のトランスポートブロックをスケジューリングする下りリンク制御シグナリングにおける第１の情報フィールドの値が１である場合、前記端末は前記下りリンク制御シグナリングによってスケジューリングされるトランスポートブロックが新規のトランスポートブロックであることを確定する。
【００４２】
一つの可能な例において、前記方法はさらに、
前記端末が前記第１の情報フィールドに基づき、前記下りリンク制御シグナリングによってスケジューリングされるトランスポートブロックが前記新規のトランスポートブロックであることを確定することと、
前記端末が前記第２の情報フィールドにおける先頭からＫ個目までのビットの値は全てが前記予め設定された値であるわけではない、又は前記最後のＫ個のビットの値は全てが前記予め設定された値であるわけではないことを確定することと、
前記端末が前記ネットワーク側機器に、前記新規のトランスポートブロックに対するＡＣＫ／ＮＡＣＫ情報を送信しないこととを含む。
【００４３】
例えば、前記予め設定された値は１であり、前記第２の情報フィールドが｛０，１，０｝である場合、先頭からＫ個目までのビットの値は全てが１であるわけではない、又は前記最後のＫ個のビット的値は全てが１であるわけではないため、前記端末は前記ネットワーク側機器に、前記新規のトランスポートブロックに対するＡＣＫ／ＮＡＣＫ情報を送信しない。
【００４４】
上記図２Ａの実施例と同様に、図２Ｂは、本発明の実施例によって提供される別のデータ指示方法である。図２Ｂが参照されるように、当該方法は２ｂ０１部分〜２ｂ０７部分を含む。
２ｂ０１部分において、ネットワーク側機器は端末に、下りリンク制御シグナリングを送信する。
【００４５】
２ｂ０２部分において、前記端末は前記ネットワーク側機器からの前記下りリンク制御シグナリングを受信し、前記下りリンク制御シグナリングは第１の情報フィールド及び第２の情報フィールドを含む。
【００４６】
２ｂ０３部分において、前記端末は前記第１の情報フィールドに基づき、前記下りリンク制御シグナリングによってスケジューリングされるトランスポートブロックが新規のトランスポートブロックであることを確定する。
【００４７】
２ｂ０４部分において、前記端末は前記第２の情報フィールドにおける先頭からＫ個目までのビットの値がいずれも予め設定された値である、又は最後のＫ個のビットの値がいずれも前記予め設定された値であることを確定し、Ｋは正の整数である。
【００４８】
２ｂ０５部分において、前記端末は前記新規のトランスポートブロックに含まれるコードブロックグループの数量がＫであることを確定する。
【００４９】
２ｂ０６部分において、前記端末はネットワーク側機器に、前記新規のトランスポートブロックに関するＫビットに対するＡＣＫ又はＮＡＣＫ情報を送信する。
【００５０】
２ｂ０７部分において、前記ネットワーク側機器は前記端末からの前記新規のトランスポートブロックに関するＫビットに対するＡＣＫ／ＮＡＣＫ情報を受信する。
【００５１】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００５２】
以下、本発明の実施例を、具体的な適用シーンを用いて具体的に説明する。
【００５３】
図３が参照されるように、通信システムは５Ｇ／ＮＲ通信システムであり、ネットワーク側機器は５Ｇ／ＮＲにおける基地局ｇＮＢであり、端末は５Ｇ／ＮＲにおけるユーザ機器（ＵＥ）であり、伝送すべきのデータは予め設定されたプロトコルに基づき、１０個のコードブロックに分割され、当該１０個のコードブロックは対応する伝送リソースを指示するめの４つのコードブロックグループに分割され、当該４つのコードブロックグループはトランスポートブロックにカプセル化され、ＵＥはｇＮＢによって送信される、当該トランスポートブロックをスケジューリングするための下りリンク制御シグナリングを受信し、当該下りリンクシグナリングには第１の情報フィールド及び第２の情報フィールドが含まれ、前記第１の情報フィールド（ＮＤＩ）は１であり、前記第２の情報フィールドは下りリンク制御シグナリングによってスケジューリングされるコードブロックグループを指示するための４ビットの情報を含み、前記予め設定された値は１であり、端末は当該トランスポートブロックの１つ前のトランスポートブロックの下りリンク制御シグナリングにおける第１の情報フィールド（ＮＤＩ）の値が０であることを検出すると、当該トランスポートブロックが新規のトランスポートブロックでることを確定し、次に、第２の情報フィールドにより、前記新規のトランスポートブロックに含まれるコードブロックグループを確定する。
前記第２の情報フィールドが｛１，１，１，１｝である場合、当該新規のトランスポートブロックは４つのコードブロックグループを含み、且つこの４つのコードブロックグループは。
前記第２の情報フィールドが｛１，１，１，０｝又は｛０，１，１，１｝である場合、当該新規のトランスポートブロックは３つのコードブロックグループを含むことを表す。
前記第２の情報フィールドが｛１，１，０，０｝又は｛０，０，１，１｝である場合、当該新規のトランスポートブロックは２つのコードブロックグループを含むことを表す。
前記第２の情報フィールドが｛１，０，０，０｝又は｛０，０，０，１｝である場合、当該新規のトランスポートブロックは１つのコードブロックグループを含むことを表す。
【００５４】
上記図２Ａに示される実施例と同様に、図４は本発明の実施例によって提供される端末の構造模式図である。図４が参照されるように、当該端末はプロセッサ、メモリ、通信インタフェース及び１つ又は複数のプログラムを含み、ただし、前記１つ又は複数のプログラムは前記メモリに記憶されており、且つ、前記プロセッサによって実行されるように配置され、前記プログラムは、
端末がネットワーク側機器からの下りリンク制御シグナリングを受信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられるステップと、
前記端末が前記第１の情報フィールド及び前記第２の情報フィールドに基づき、前記新規のトランスポートブロックに含まれるコードブロックグループの数量を確定するステップとを実行するためのコマンドを含む。
【００５５】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００５６】
一つの可能な例において、前記第２の情報フィールドはビットマップ（Ｂｉｔｍａｐ）の方式で、前記下りリンク制御シグナリングによってスケジューリングされるコードブロックグループを指示する。
【００５７】
一つの可能な例において、前記第１の情報フィールド及び前記第２の情報フィールドに基づき、前記新規のトランスポートブロックに含まれるコードブロックグループの数量を確定することに関し、上記プログラムにおけるコマンドは具体的に、前記第１の情報フィールドに基づき、前記下りリンク制御シグナリングによってスケジューリングされるトランスポートブロックが前記新規のトランスポートブロックであることを確定するステップ、前記第２の情報フィールドにおける先頭からＫ個目までのビットの値がいずれも予め設定された値である、又は最後のＫ個のビットの値がいずれも前記予め設定された値であることを確認し、ただしＫは正の整数であるステップ、及び、前記新規のトランスポートブロックに含まれるコードブロックグループの数量がＫであることを確定するステップを実行するために用いられる。
【００５８】
この可能な例において、前記プログラムは、前記第１の情報フィールド及び前記第２の情報フィールドに基づき、前記新規のトランスポートブロックに含まれるコードブロックグループの数量を確定した後、前記ネットワーク側機器に前記新規のトランスポートブロックに関するＫビットに対する確認又は非確認（ＡＣＫ又はＮＡＣＫ）情報を送信する、ステップを実行するためのコマンドを含む。
【００５９】
一つの可能な例において、前記第１の情報フィールドは新規データ指示情報フィールド（ＮＤＩ）である。
【００６０】
上記図２Ａに示される実施例と同様に、図５は、本発明の実施例によって提供されるネットワーク側機器の構造模式図である。図５が参照されるように、当該ネットワーク側機器はプロセッサ、メモリ、送受信器及び１つ又は複数のプログラムを含み、ただし、前記１つ又は複数のプログラムは前記メモリに記憶されており、且つ、前記プロセッサによって実行されるように配置され、前記プログラムは、
ネットワーク側機器が端末に下りリンク制御シグナリングを送信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられるステップと、
前記ネットワーク側機器が前記第１の情報フィールド及び前記第２の情報フィールドによって前記新規のトランスポートブロックに含まれるコードブロックグループの数量を指示するステップとを実行するためのコマンドを含む。
【００６１】
以上から分かるように、本発明の実施例において、ネットワーク側機器は、最初に、端末に下りリンク制御シグナリングを送信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドによって前記新規のトランスポートブロックに含まれるコードブロックグループの数量を指示する。以上から分かるように、下りリンク制御シグナリングにおける第１の情報フィールド及び第２の情報フィールドに基づき、スケジューリングされる新規のトランスポートブロックにおけるコードブロックグループの数量を指示し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００６２】
一つの可能な例において、前記第２の情報フィールドはビットマップ（Ｂｉｔｍａｐ）の方式で、前記下りリンク制御シグナリングによってスケジューリングされるコードブロックグループは前記新規のトランスポートブロックにおける前記コードブロックグループであることを指示する。
【００６３】
一つの可能な例において、前記第１の情報フィールド及び前記第２の情報フィールドにより前記新規のトランスポートブロックに含まれるコードブロックグループの数量を指示することに関し、上記プログラムにおけるコマンドは具体的に、前記第１の情報フィールドにより前記下りリンク制御シグナリングによってスケジューリングされるトランスポートブロックは前記新規のトランスポートブロックであることを指示するステップ、前記第２の情報フィールドにおける先頭からＫ個目までのビットの値がいずれも予め設定された値である、又は最後のＫ個のビットの値がいずれも前記予め設定された値であり、ただしＫは正の整数であるステップ、及び、前記新規のトランスポートブロックに含まれるコードブロックグループの数量がＫであることを指示するステップを実行するために用いられる。
【００６４】
この可能な例において、前記プログラムは、前記第１の情報フィールド及び前記第２の情報フィールドにより、前記新規のトランスポートブロックに含まれるコードブロックグループの数量を指示した後、前記端末によって送信される前記新規のトランスポートブロックに関するＫビットに対する確認又は非確認（ＡＣＫ又はＮＡＣＫ）情報を受信するステップを実行するためのコマンドを含む。
【００６５】
一つの可能な例において、前記第１の情報フィールドは新規データ指示情報フィールド（ＮＤＩ）である。
【００６６】
上述した説明では、主に各ネットワーク要素同士の間の対話の角度から、本発明の実施例による技術的解決手段について紹介しておる。なお、端末及びネットワーク側機器は上記機能を実現するために、各機能を実行するための対応するハードウェア構造及び／又はソフトウェアモジュールを含む。当業者が理解できるだろうが、本明細書において開示された実施例で説明される各例示的なユニット、アルゴリズム及びステップによれば、本発明は、ハードウェア又はハードウェアとコンピュータソフトウェアの組み合わせの形式により実現することができる。特定の機能は、ハードウェアか、コンピュータソフトウェアがハードウェアを駆動する方式かで実行されるのは、技術的解決手段の特定の用途及び設計上の制限条件により決定される。本分野の技術者は特定の用途ごとに異なる方法を用いて、説明される機能を実現することはできるが、このような実現は本発明の範囲を超えるものとは見なされない。
【００６７】
本発明の実施例は上記方法の例に基づき、端末及びネットワーク側機器に対して機能ユニットの分割を行うことができ、例えば、各機能に対応するように各機能ユニットを分割することもできれば、２つ以上の機能を１つの処理ユニットに集積させてもよい。上記集積されたユニットは、ハードウェアの形式で実現されてもよければ、ソフトウェアプログラムモジュールの形式で実現されてもよい。なお、本発明の実施例におけるユニットの分割は例示的な論理機能上の分割に過ぎず、実現させる際は、別の方式での分割も可能である。
【００６８】
図６は、集積されたユニットが用いられる場合、上記実施例に係る端末の一つの可能な機能ユニットによる構成のブロック図を示す。端末６００は、処理ユニット６０２及び通信ユニット６０３を含む。処理ユニット６０２は、端末の動作に対して制御及び管理を行うために用いられ、例えば、処理ユニット６０２は、端末による図２Ａのステップ２ａ０２〜２ａ０３、図２Ｂのステップ２ｂ０２〜２ｂ０６及び／又は本明細書で説明される技術に用いるその他の過程の実行をサポートするために用いられる。通信ユニット６０３は端末とその他の機器との通信、例えば、図５に示されるネットワーク側機器との間の通信をサポートするために用いられる。端末は、端末のプログラムコード及びデータを記憶するための記憶ユニット６０１をさらに含んでもよい。
【００６９】
ただし、処理ユニット６０２はプロセッサ又はコントローラとすることができ、例えば中央処理装置（Ｃｅｎｔｒａｌ  Ｐｒｏｃｅｓｓｉｎｇ  Ｕｎｉｔ、略称ＣＰＵ）、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）又はその他のプログラマブル論理部品、トランジスタ論理部品、ハードウェア部品又はその任意の組み合わせとすることができる。それは、本発明で開示された内容において説明される様々な例示的な論理ブロック、モジュール及び回路を実現又は実行することができる。前記プロセッサはコンピューティング機能を実現する組み合わせとすることができ、例えば１つ又は複数のマイクロプロセッサを含む組み合わせ、ＤＳＰ及びマイクロプロセッサの組み合わせ等とすることができる。通信ユニット６０３は送受信器、送受信回路等とし、記憶ユニット６０１はメモリとすることができる。
【００７０】
ただし、処理ユニット６０２は前記通信ユニットによってネットワーク側機器からの下りリンク制御シグナリングを受信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドに基づき、前記新規のトランスポートブロックに含まれるコードブロックグループの数量を確定するためにも用いられる。
【００７１】
一つの可能な例において、前記第２の情報フィールドはビットマップ（Ｂｉｔｍａｐ）の方式で、前記下りリンク制御シグナリングによってスケジューリングされるコードブロックグループを指示する。
【００７２】
一つの可能な例において、前記第１の情報フィールド及び前記第２の情報フィールドに基づき、前記新規のトランスポートブロックに含まれるコードブロックグループの数量を確定することに関し、前記処理ユニットは具体的に、前記第１の情報フィールドに基づき、前記下りリンク制御シグナリングによってスケジューリングされるトランスポートブロックが前記新規のトランスポートブロックであることを確定し、前記第２の情報フィールドにおける先頭からＫ個目までのビットの値がいずれも予め設定された値である、又は最後のＫ個のビットの値がいずれも前記予め設定された値であることを確認し（ただしＫは正の整数である）、前記新規のトランスポートブロックに含まれるコードブロックグループの数量がＫであることを確定するために用いられる。
【００７３】
この可能な例において、前記処理ユニットは、前記第１の情報フィールド及び前記第２の情報フィールドに基づき、前記新規のトランスポートブロックに含まれるコードブロックグループの数量を確定した後、さらに、前記通信ユニットによって前記ネットワーク側機器に前記新規のトランスポートブロックに関するＫビットに対する確認又は非確認（ＡＣＫ又はＮＡＣＫ）情報を送信するためにも用いられる。
【００７４】
一つの可能な例において、前記第１の情報フィールドは新規データ指示情報フィールド（ＮＤＩ）である。
【００７５】
処理ユニット６０２がプロセッサで、通信ユニット６０３が通信インタフェースで、記憶ユニット６０１がメモリである場合、本発明の実施例に係る端末は、図４に示される端末とすることができる。
【００７６】
図７は、集積されたユニットが用いられる場合、上記実施例に係るネットワーク側機器の一つの可能な機能ユニットによる構成のブロック図を示す。ネットワーク側機器７００は、処理ユニット７０２及び通信ユニット７０３を含む。処理ユニット７０２はネットワーク側機器の動作に対して制御及び管理を行うために用いられ、例えば、処理ユニット７０２はネットワーク側機器による図２Ａのステップ２ａ０１、図２Ｂのステップ２ｂ０１、２ｂ０７及び／又は本明細書で説明される技術に用いるその他の過程の実行をサポートするために用いられる。通信ユニット７０３はネットワーク側機器とその他の機器との通信、例えば図４に示される端末との間の通信をサポートするために用いられる。ネットワーク側機器はネットワーク側機器のプログラムコード及びデータを記憶するための記憶ユニット７０１をさらに含んでもよい。
【００７７】
ただし、処理ユニット７０２はプロセッサ又はコントローラとし、例えば、中央処理装置（Ｃｅｎｔｒａｌ  Ｐｒｏｃｅｓｓｉｎｇ  Ｕｎｉｔ、略称ＣＰＵ）、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）又はその他のプログラマブル論理部品、トランジスタ論理部品、ハードウェア部品又はその任意の組み合わせとすることができる。それは、本発明で開示された内容において説明される様々な例示的な論理ブロック、モジュール及び回路を実現又は実行することができる。前記プロセッサはコンピューティング機能を実現する組み合わせとすることができ、例えば１つ又は複数のマイクロプロセッサを含む組み合わせ、ＤＳＰ及びマイクロプロセッサの組み合わせ等とすることができる。通信ユニット７０３は送受信器、送受信回路、ＲＦチップ等とすることができ、記憶ユニット７０１はメモリとすることができる。
【００７８】
ただし、処理ユニット７０２は前記通信ユニットによって端末に下りリンク制御シグナリングを送信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドにより前記新規のトランスポートブロックに含まれるコードブロックグループの数量を指示するためにも用いられる。
【００７９】
一つの可能な例において、前記第２の情報フィールドはビットマップ（Ｂｉｔｍａｐ）の方式で、前記下りリンク制御シグナリングによってスケジューリングされるコードブロックグループを指示する。
【００８０】
一つの可能な例において、前記第１の情報フィールド及び前記第２の情報フィールドにより前記新規のトランスポートブロックに含まれるコードブロックグループの数量を指示することに関し、前記処理ユニットは具体的に、前記第１の情報フィールドにより前記下りリンク制御シグナリングによってスケジューリングされるトランスポートブロックが前記新規のトランスポートブロックであることを指示し、前記第２の情報フィールドにおける先頭からＫ個目までのビットの値がいずれも予め設定された値である、又は最後のＫ個のビットの値がいずれも前記予め設定された値である（ただしＫは正の整数である）ことを指示し、及び、前記新規のトランスポートブロックに含まれるコードブロックグループの数量がＫであることを指示するために用いられる。
【００８１】
この可能な例において、前記処理ユニットは、前記第１の情報フィールド及び前記第２の情報フィールドにより前記新規のトランスポートブロックに含まれるコードブロックグループの数量を指示した後、さらに、前記通信ユニットによって、前記端末によって送信される前記新規のトランスポートブロックに関するＫビットに対する確認又は非確認（ＡＣＫ又はＮＡＣＫ）情報を受信するためにも用いられる。
【００８２】
一つの可能な例において、前記第１の情報フィールドは新規データ指示情報フィールド（ＮＤＩ）である。
【００８３】
処理ユニット７０２がプロセッサで、通信ユニット７０３が通信インタフェースで、記憶ユニット７０１がメモリである場合、本発明の実施例に係るネットワーク側機器は図５に示されるネットワーク側機器とすることができる。
【００８４】
本発明の実施例はさらに、別の端末を提供する。図８に示されるように、説明の便宜上、本発明の実施例に関連する部分だけが示され、明示されない具体的な技術詳細は、本発明の実施例の方法の部分を参照する。当該端末は携帯電話、タブレットパソコン、ＰＤＡ（Ｐｅｒｓｏｎａｌ  Ｄｉｇｉｔａｌ  Ａｓｓｉｓｔａｎｔ、携帯情報端末）、ＰＯＳ（Ｐｏｉｎｔ  ｏｆ  Ｓａｌｅｓ、販売時点情報管理端末）、車載コンピュータ等を含む、任意端末機器とすることができ、端末が携帯電話である場合を例にすると、
図８に示すのは、本発明の実施例によって提供される端末に関連する携帯電話の一部構造のブロック図である。図８が参照されるように、携帯電話は、ＲＦ（Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（Ｗｉｒｅｌｅｓｓ  Ｆｉｄｅｌｉｔｙ、略称ＷｉＦｉ）モジュール９７０、プロセッサ９８０、及び電源９９０等要素を含む。当業者が理解できるだろうが、図８に示される携帯電話の構造は携帯電話に対する限定を構成せず、より多いもしくは少ない要素を含む、又は一部の要素を組み合わせる、又は異なる要素配置を取ることもできる。
【００８５】
以下、図８を参照して携帯電話の各構成要素に対して具体的に紹介する。
ＲＦ回路９１０は情報を受信及び送信するために用いることができる。一般的に、ＲＦ回路９１０はアンテナ、少なくとも１つのアンプ、送受信器、コネクタ、ローノイズアンプ（Ｌｏｗ  Ｎｏｉｓｅ  Ａｍｐｌｉｆｉｅｒ、略称ＬＮＡ）、デュプレクサ等を含むが、これらに限定されない。また、ＲＦ回路９１０は無線通信によって、ネットワーク及びその他の機器と通信することもできる。上記無線通信には、任意の通信規格又はプロトコルを用いることができ、このような通信規格として、グローバル移動体通信システム（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、符号分割多重接続（Ｃｏｄｅ  Ｄｉｖｉｓｉｏｎ  Ｍｕｌｔｉｐｌｅ  Ａｃｃｅｓｓ、略称ＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）、ロングタームエヴォリューション（Ｌｏｎｇ  Ｔｅｒｍ  Ｅｖｏｌｕｔｉｏｎ、略称ＬＴＥ）、電子メール、ショートメッセージサービス（Ｓｈｏｒｔ  Ｍｅｓｓａｇｉｎｇ  Ｓｅｒｖｉｃｅ、略称ＳＭＳ）等を含むが、これらに限定されない。
【００８６】
メモリ９２０は、ソフトウェアプログラム及びモジュールを記憶するために用いることができ、プロセッサ９８０はメモリ９２０に記憶されるソフトウェアプログラム及びモジュールを動作させることにより、携帯電話の各種の機能的なアプリケーション及びデータ処理を実行する。メモリ９２０は主にプログラム記憶領域及びデータ記憶領域を含んでもよく、ただし、プログラム記憶領域はオペレーティングシステム、少なくとも１つの機能に必要なアプリケーションプログラム等を記憶することができ、データ記憶領域は携帯電話の使用中に作成されるデータ等を記憶することができる。また、メモリ９２０は高速ダイナミックランダムアクセスメモリを含むことができ、さらに、非揮発性メモリ、例えば少なくとも１つの磁気ディスク記憶部品、フラッシュメモリ部品、又はその他の揮発性ソリッドステート記憶部品を含んでもよい。
【００８７】
入力ユニット９３０は入力される数字又は文字情報を受信し、携帯電話のユーザ設定及び機能制御に関係するキー信号の入力を生成するために用いることができる。具体的に、入力ユニット９３０は指紋認識モジュール９３１及びその他の入力機器９３２を含むことができる。指紋認識モジュール９３１は、ユーザの指紋データを採取することができる。指紋認識モジュール９３１に加え、入力ユニット９３０はその他の入力機器９３２をさらに含んでもよい。具体的に、その他の入力機器９３２はタッチパネル、物理キーボード、ファンクションキー（例えば、音量調整ボタン、スイッチボタン等）、トラックボール、マウス、ジョイスティック等の１種以上を含むことができるが、これらに限定されない。
【００８８】
表示ユニット９４０はユーザによって入力される情報又はユーザに対して提供される情報及び携帯電話の様々なメニューを表示するために用いることができる。表示ユニット９４０はディスプレイ９４１を含んでもよく、選択的に、液晶ディスプレイ（Ｌｉｑｕｉｄ  Ｃｒｙｓｔａｌ  Ｄｉｓｐｌａｙ、略称ＬＣＤ）、有機発光ダイオード（Ｏｒｇａｎｉｃ  Ｌｉｇｈｔ−Ｅｍｉｔｔｉｎｇ  Ｄｉｏｄｅ、略称ＯＬＥＤ）等形式でディスプレイ９４１を配置することができる。図８において、指紋認識モジュール９３１及びディスプレイ９４１は２つの独立した要素として、携帯電話の入力及び出力機能を実現するが、いくつかの実施例において、指紋認識モジュール９３１をディスプレイ９４１に集積させて携帯電話の入力及び再生機能を実現することもできる。
【００８９】
携帯電話は少なくとも１種のセンサー９５０、例えば光センサー、運動センサー及びその他のセンサーをさらに含んでもよい。具体的に、光センサーは環境光センサー及び近接センサーを含むことができ、なお、環境光センサーは環境光の明暗に基づきディスプレイ９４１の明るさを調節することができ、近接センサーは携帯電話が耳元に近づく時、ディスプレイ９４１及び／又はバックライトをオフすることができる。運動センサーの一種として、加速度センサーは各方向（一般的に３軸）の加速度の大きさを検出することができ、静止時は、重力の大きさ及び方向を検出することができ、携帯電話の姿勢を認識するアプリケーション（例えば、縦／横画面表示切替、関連するゲーム、磁力計姿勢較正）、振動認識に関連する機能（例えば歩数計、打撃）等に用いることができる。なお、携帯電話に配置可能なジャイロスコープ、気圧計、湿度計、温度計、赤外線センサー等その他のセンサーに関しては、ここでは贅言しない。
【００９０】
オーディオ回路９６０、スピーカー９６１、マイクロフォン９６２はユーザと携帯電話との間のオーディオインターフェースを提供する。オーディオ回路９６０は受信されたオーディオデータを変換してなる電気信号をスピーカー９６１に伝送して、スピーカー９６１によって音声信号に変換して再生することができる。また、マイクロフォン９６２は收集された音声信号を電気信号に変換し、オーディオ回路９６０によって受信されるとオーディオデータに変換し、次にオーディオデータ再生プロセッサ９８０によって処理された後、ＲＦ回路９１０によって、例えば別の携帯電話に送信するか、又はオーディオデータをメモリ９２０に渡して、更なる処理に付する。
【００９１】
ＷｉＦｉは短距離無線伝送技術であり、携帯電話のＷｉＦｉモジュール９７０によってユーザは電子メールを送受信し、ウェブページを閲覧し、ストリーミングメディアにアクセスすることができ、ユーザに無線での広帯域インターネットアクセスを提供する。図８にはＷｉＦｉモジュール９７０が示されるが、それは携帯電話の必須の構成要素ではないことは理解される。場合によって、発明の趣旨が変わらない範囲において省略することもできる。
【００９２】
プロセッサ９８０は携帯電話が制御を行うためのコア要素であり、様々なインタフェース及び回路によって携帯電話の各部分と接続され、メモリ９２０に記憶されているソフトウェアプログラム及び／又はモジュールを動作又は実行させる、且つメモリ９２０に記憶されているデータを呼び出して、携帯電話の様々な機能を実行しデータを処理することにより、携帯電話に対して全般的監視を行う。選択的に、プロセッサ９８０が１つ又は複数の処理ユニットを含んでもよい。より好ましくは、プロセッサ９８０にアプリケーションプロセッサ及び変復調プロセッサが集積されてもよく、ただし、アプリケーションプロセッサは主にオペレーティングシステム、ユーザインタフェース及びアプリケーションプログラム等がその処理対象であり、変復調プロセッサは主に無線通信がその処理対象である。なお、上記変復調プロセッサはプロセッサ９８０に集積されなくてもよい。
【００９３】
携帯電話は各要素に給電する電源９９０（例えば電池）を含み、好ましくは、電源が電源管理システムを介してプロセッサ９８０と論理的に接続されることにより、電源管理システムによって充電・放電管理、及び電力消費管理等の機能を実現する。
【００９４】
図示されていないが、携帯電話はカメラ、ブルートゥースモジュール等をさらに含んでもよく、ここでは贅言しない。
【００９５】
前述した図２Ａ〜２Ｂの実施例において、各ステップの方法で端末側のプロセスは当該携帯電話の構造により実現することができる。
【００９６】
前述した図４、図５の実施例において、各ユニット機能は当該携帯電話の構造により実現することができる。
【００９７】
本発明の実施例はさらに、コンピュータ可読記憶媒体を提供し、ただし、前記コンピュータ可読記憶媒体は電子データを交換するためのコンピュータプログラムを記憶し、なお、前記コンピュータプログラムにより、コンピュータは上記方法の実施例で端末について説明される一部又は全てのステップを実行する。
【００９８】
本発明の実施例はさらに、コンピュータ可読記憶媒体を提供し、ただし、前記コンピュータ可読記憶媒体は電子データを交換するためのコンピュータプログラムを記憶し、なお、前記コンピュータプログラムにより、コンピュータは上記方法の実施例でネットワーク側機器について説明される一部又は全てのステップを実行する。
【００９９】
本発明の実施例はさらに、コンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは上記方法の実施例で端末について説明される一部又は全てのステップを実行する。当該コンピュータプログラム製品は１つのソフトウェアインストールパッケージであってもよい。
【０１００】
本発明の実施例はさらに、コンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは上記方法でネットワーク側機器について説明される一部又は全てのステップを実行する。当該コンピュータプログラム製品は１つのソフトウェアインストールパッケージであってもよい。
【０１０１】
本発明の実施例で説明される方法又はアルゴリズム、ステップは、ハードウェアの方式で実現されてもよければ、プロセッサがソフトウェアコマンドを実行する方式で実現されてもよい。ソフトウェアコマンドは対応するソフトウェアモジュールからなってもよく、ソフトウェアモジュールはランダムアクセスメモリ（Ｒａｎｄｏｍ  Ａｃｃｅｓｓ  Ｍｅｍｏｒｙ、略称ＲＡＭ）、フラッシュメモリ、リードオンリーメモリ（Ｒｅａｄ  Ｏｎｌｙ  Ｍｅｍｏｒｙ、略称ＲＯＭ）、消去可能プログラマブル読み出し専用メモリ（Ｅｒａｓａｂｌｅ  Ｐｒｏｇｒａｍｍａｂｌｅ  ＲＯＭ、略称ＥＰＲＯＭ）、電気的消去可能プログラマブル読み出し専用メモリ（Ｅｌｅｃｔｒｉｃａｌｌｙ  ＥＰＲＯＭ、略称ＥＥＰＲＯＭ）、レジスタ、ハードディスク、ポータブルハードディスク、読み出し専用光ディスク（ＣＤ−ＲＯＭ）又は本分野で一般的に知られる任意のその他の形式の記憶媒体に収容することができる。例示的な記憶媒体がプロセッサに接続されることによって、プロセッサは当該記憶媒体から情報を読み取り、且つ、当該記憶媒体に情報を書き込むことができる。当然ながら、記憶媒体はプロセッサを構成する部分とすることもできる。プロセッサ及び記憶媒体はＡＳＩＣに配置されてもよい。また、当該ＡＳＩＣはアクセスネットワーク機器、目的ネットワーク機器又はコアネットワーク機器に配置されてよい。当然ながら、プロセッサ及び記憶媒体はディスクリート部品として、アクセスネットワーク機器、目的ネットワーク機器又はコアネットワーク機器に存在してもよい。
【０１０２】
当業者が意識できるだろうが、上記１つ又は複数の例で、本発明の実施例で説明される機能はその全て又は一部がソフトウェア、ハードウェア、ファームウェア又はその任意の組み合わせにより実現することができる。ソフトウェアによって実現される場合、その全て又は一部はコンピュータプログラム製品の形式で実現されてよい。前記コンピュータプログラム製品は１つ又は複数のコンピュータコマンドを含む。コンピュータで前記コンピュータプログラムコードをロードし実行する際、本発明の実施例に記載のプロセス又は機能の全て又はその一部を生成する。前記コンピュータは汎用コンピュータ、専用コンピュータ、コンピュータネットワーク、又はその他のプログラマブル装置とすることができる。前記コンピュータコマンドはコンピュータ可読記憶媒体に記憶されるか、又は１つのコンピュータ可読記憶媒体からもう１つのコンピュータ可読記憶媒体に対して伝送されてもよい。例えば、前記コンピュータコマンドは１つのウェブサイト、コンピュータ、サーバ又はデータセンタから有線（例えば同軸ケーブル、光ファイバー、デジタル加入者線（Ｄｉｇｉｔａｌ  Ｓｕｂｓｃｒｉｂｅｒ  Ｌｉｎｅ、略称ＤＳＬ））又は無線（例えば赤外、無線、マイクロ波等）方式で別のウェブサイト、コンピュータ、サーバ又はデータセンタに対して伝送されてもよい。前記コンピュータ可読記憶媒体はコンピュータがアクセス可能なあらゆる使用可能な媒体であるか、又は１つ又は複数の使用可能な媒体が集積されたサーバ、データセンタ等データ記憶機器を含む。前記使用可能な媒体は磁気媒体（例えば、フロッピーディスク、ハードディスク、磁気テープ）、光媒体（例えば、デジタルビデオディスク（Ｄｉｇｉｔａｌ  Ｖｉｄｅｏ  Ｄｉｓｃ、略称ＤＶＤ））、又は半導体媒体（例えば、ソリッドステートハードディスク（Ｓｏｌｉｄ  Ｓｔａｔｅ  Ｄｉｓｋ、略称ＳＳＤ））等とすることができる。
【０１０３】
上記具体的な実施形態により、本発明の実施例の目的、技術的解決手段及び有益な効果についてより詳細な説明がなされるが、上述した内容は、本発明の実施例の具体的な実施形態に過ぎず、本発明の実施例の保護範囲はこれに限定されるものではない。本発明の実施例の技術的解決手段をベースになされたあらゆる修正、同等な差し替え、改良等は、いずれも本発明の実施例による保護範囲に含まれるものとする。
【図１】
2020530215.tif 000003
【図２Ａ】
2020530215.tif 000004
【図２Ｂ】
2020530215.tif 000005
【図３】
2020530215.tif 000006
【図４】
2020530215.tif 000007
【図５】
2020530215.tif 000008
【図６】
2020530215.tif 000009
【図７】
2020530215.tif 000010
【図８】
2020530215.tif 000011
【手続補正書】
【提出日】令和2年6月3日(2020.6.3)
【手続補正１】
【補正対象書類名】明細書
【補正対象項目名】全文
【補正方法】変更
【補正の内容】
【発明の詳細な説明】
【技術分野】
【０００１】
本発明は、通信技術の分野に関し、特に、データ指示方法及び関連製品に関する。
【背景技術】
【０００２】
第５世代移動通信技術（５ｔｈ−Ｇｅｎｅｒａｔｉｏｎ、略称５Ｇ）新無線（Ｎｅｗ  Ｒａｄｉｏ、ＮＲ）は、第３世代移動通信システム標準化プロジェクト（３ｒｄ  Ｇｅｎｅｒａｔｉｏｎ  Ｐａｒｔｎｅｒｓｈｉｐ  Ｐｒｏｊｅｃｔ、略称３ＧＰＰ）組織の中で最近提案された新しい課題である。新世代５Ｇ技術の検討が深入りするのに伴い、一方では、通信システムは後方互換性であるため、後に開発される新しい技術は、既に標準化された既存の技術と互換性を有するものが一般的であるが、他方では、第４世代移動通信技術（ｔｈｅ  ４ｔｈ  Ｇｅｎｅｒａｔｉｏｎ  ｍｏｂｉｌｅ  ｃｏｍｍｕｎｉｃａｔｉｏｎ、略称４Ｇ）ロングタームエボリューション（Ｌｏｎｇ  Ｔｅｒｍ  Ｅｖｏｌｕｔｉｏｎ、ＬＴＥ）には既に大量の設計があるから、互換性を実現するためには、５Ｇ技術の柔軟性を大いに犠牲にする必要があるが、これによって性能が低下する。そのため、現在、３ＧＰＰ組織の中で関連研究は２つの方向で行われている。そのうち、後方互換性を考慮しない技術討議グループは、５Ｇ  ＮＲと称される。
【０００３】
ＬＴＥシステムにおいて、トランスポートブロック（Ｔｒａｎｓｐｏｒｔ  ｂｌｏｃｋ、略称ＴＢ）とは、媒体アクセス制御層（Ｍｅｄｉａ  Ａｃｃｅｓｓ  Ｃｏｎｔｒｏｌ、略称ＭＡＣ）プロトコルデータユニット（Ｐｒｏｔｏｃｏｌ  Ｄａｔａ  Ｕｎｉｔ、略称ＰＤＵ）を含む１つのデータブロックを指し、このデータブロックは１つの伝送時間間隔（Ｔｒａｎｓｍｉｓｓｉｏｎ  Ｔｉｍｅ  Ｉｎｔｅｒｖａｌ、略称ＴＴＩ）において伝送され、これはハイブリッド自動再送要求（Ｈｙｂｒｉｄ  Ａｕｔｏｍａｔｉｃ  Ｒｅｐｅａｔ  Ｒｅｑｕｅｓｔ、略称ＨＡＲＱ）でデータの再送が行われるユニットでもある。ＬＴＥシステムにおいて、下りリンク制御シグナリングにおける新規データ指示（Ｎｅｗ  Ｄａｔａ  Ｉｎｄｉｃａｔｉｏｎ、略称ＮＤＩ）シグナリングは、現時点でスケジューリングされるトランスポートブロックは新規データであるか否かを指示するために用いられる。現時点でスケジューリングされるトランスポートブロックが新規データである場合、ＮＤＩ情報フィールドの値を反転する。すなわち、現時点でスケジューリングされるトランスポートブロックの前に行われた直近のトランスポートブロックスケジューリングに対応するＮＤＩの値が１であれば、現時点でスケジューリングされるのは新規データである場合、ＮＤＩを０に反転し、再送データである場合、ＮＤＩを１に保持する。ＮＤＩは反転の方式で設定されるため、端末は現時点でスケジューリングされるトランスポートブロックが前回スケジューリングされるトランスポートブロックに対して新規データであることは確定できるが、現時点で受信されるトランスポートブロックは１回目に伝送されるものであるか否かを正確に知ることはできない。
【０００４】
現行の５Ｇ ＮＲシステムにおいて、伝送効率を向上させ、コードブロックグループに基づくフィードバック及び再送に対するサポートを確定するためには、１つのコードブロックグループは少なくとも１つのコードブロックを含み、１つのトランスポートブロックは少なくとも１つのコードブロックグループを含む。送信端はトランスポートブロック全体を再送する必要がなく、復号に失敗するコードブロックグループ内のコードブロックを再送するだけでよいため、基地局は下りリンク制御シグナリングによって１つのトランスポートブロックに含まれるコードブロックグループの数量を動的に指示することができる。どのように、下りリンク制御シグナリングにおいてコードブロックグループを動的に指示するかは、一つの解決すべき課題である。
【発明の概要】
【発明が解決しようとする課題】
【０００５】
本発明の実施例は、フィードバックされる上りリンク制御シグナリングのビット数を確定し、上りリンク制御シグナリングオーバーヘッドを低減するために、データ指示方法及び関連製品を提供する。
【課題を解決するための手段】
【０００６】
第１の態様として、本発明の実施例はデータ指示方法を提供し、当該方法は、
端末がネットワーク側機器からの下りリンク制御シグナリングを受信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記端末が前記第１の情報フィールド及び前記第２の情報フィールドに基づき、前記新規のトランスポートブロックに含まれるコードブロックグループの数量を確定することとを含む。
【０００７】
第２の態様として、本発明の実施例はデータ指示方法を提供し、当該方法は、
ネットワーク側機器が端末に下りリンク制御シグナリングを送信し、ただし前記下りリンク制御シグナリングは第１の情報フィールド及び第２の情報フィールドを含み、ただし前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記ネットワーク側機器が前記第１の情報フィールド及び前記第２の情報フィールドによって前記新規のトランスポートブロックに含まれるコードブロックグループの数量を指示することとを含む。
【０００８】
第３の態様として、本発明の実施例は端末を提供し、当該端末は上記方法の設計における端末の挙動を実現する機能を有する。前記機能はハードウェアによって実現されてもよければ、ハードウェアが対応するソフトウェアを実行することで実現されてもよい。前記ハードウェア又はソフトウェアは上記機能に対応する１つ又は複数のモジュールを含む。
【０００９】
一つの可能な設計において、端末はプロセッサを含み、前記プロセッサは端末による上記方法における対応する機能の実行をサポートするように配置される。さらに、端末は送受信器をさらに含んでもよく、前記送受信器は端末とネットワーク側機器との間の通信をサポートするために用いられる。さらに、端末はメモリをさらに含んでもよく、前記メモリはプロセッサに接続するために用いられ、それには端末に必要なプログラムコマンド及びデータが保存される。
【００１０】
第４の態様として、本発明の実施例はネットワーク側機器を提供し、当該ネットワーク側機器は上記方法の設計におけるネットワーク側機器の挙動を実現する機能を有する。前記機能はハードウェアによって実現されてもよければ、ハードウェアが対応するソフトウェアを実行することで実現されてもよい。前記ハードウェア又はソフトウェアは上記機能に対応する１つ又は複数のモジュールを含む。
【００１１】
一つの可能な設計において、ネットワーク側機器はプロセッサを含み、前記プロセッサはネットワーク側機器による上記方法における対応する機能の実行をサポートするように配置される。さらに、ネットワーク側機器は送受信器をさらに含んでもよく、前記送受信器はネットワーク側機器と端末との間の通信をサポートするために用いられる。さらに、ネットワーク側機器はメモリをさらに含んでもよく、前記メモリはプロセッサに接続するために用いられ、それにはネットワーク側機器に必要なプログラムコマンド及びデータが保存される。
【００１２】
第５の態様として、本発明の実施例は端末を提供し、当該端末はプロセッサ、メモリ、通信インタフェース及び１つ又は複数のプログラムを含み、ただし、前記１つ又は複数のプログラムは前記メモリに記憶されており、且つ、前記プロセッサによって実行されるように配置され、前記プログラムは本発明の実施例の第１の態様によるいずれかの方法のステップを実行するためのコマンド含む。
【００１３】
第６の態様として、本発明の実施例はネットワーク側機器を提供し、当該ネットワーク側機器はプロセッサ、メモリ、送受信器及び１つ又は複数のプログラムを含み、ただし、前記１つ又は複数のプログラムは前記メモリに記憶されており、且つ、前記プロセッサによって実行されるように配置され、前記プログラムは本発明の実施例の第２の態様によるいずれかの方法のステップを実行するためのコマンドを含む。
【００１４】
第７の態様として、本発明の実施例はコンピュータ可読記憶媒体を提供し、ただし、前記コンピュータ可読記憶媒体は電子データを交換するためのコンピュータプログラムを記憶し、なお、前記コンピュータプログラムにより、コンピュータは本発明の実施例の第１の態様によるいずれかの方法に説明される一部又は全てのステップを実行する。
【００１５】
第８の態様として、本発明の実施例はコンピュータ可読記憶媒体を提供し、ただし、前記コンピュータ可読記憶媒体は電子データを交換するためのコンピュータプログラムを記憶し、なお、前記コンピュータプログラムにより、コンピュータは本発明の実施例の第２の態様によるいずれかの方法に説明される一部又は全てのステップを実行する。
【００１６】
第９の態様として、本発明の実施例はコンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは本発明の実施例の第１の態様によるいずれかの方法に説明される一部又は全てのステップを実行する。当該コンピュータプログラム製品は１つのソフトウェアインストールパッケージであってもよい。
【００１７】
第１０の態様として、本発明の実施例はコンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは本発明の実施例の第２の態様によるいずれかの方法に説明される一部又は全てのステップを実行する。当該コンピュータプログラム製品は１つのソフトウェアインストールパッケージであってもよい。
【発明の効果】
【００１８】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【図面の簡単な説明】
【００１９】
以下、実施例又は従来技術の説明で使用される各図について簡単に紹介する。
【図１】図１は、本発明の実施例によって提供される一つの可能な通信システムのネットワーク構成を示す図である。
【図２Ａ】図２Ａは、本発明の実施例によって提供されるデータ指示方法の流れ模式図である。
【図２Ｂ】図２Ｂは、本発明の実施例によって提供される別のデータ指示方法の流れ模式図である。
【図３】図３は、本発明の実施例によって提供される一つの５Ｇ  ＮＲシステムシーンにおけるデータ指示方法の模式図である。
【図４】図４は、本発明の実施例によって提供される端末の構造模式図である。
【図５】図５は、本発明の実施例によって提供されるネットワーク側機器の構造模式図である。
【図６】図６は、本発明の実施例によって提供される端末の機能ユニットによる構成ブロック図である。
【図７】図７は、本発明の実施例によって提供されるネットワーク側機器の機能ユニットによる構成ブロック図である。
【図８】図８は、本発明の実施例によって提供される別の端末の構造模式図である。
【発明を実施するための形態】
【００２０】
以下、本発明の実施例による技術的解決手段を、各図を参照して説明する。
【００２１】
図１は、本発明の実施例によって提供される一つの例示的な通信システムの可能なネットワーク構成である。図１が参照されるように、当該例示的な通信システムは、例えばグローバル移動体通信システム（Ｇｌｏｂａｌ  Ｓｙｓｔｅｍ  ｆｏｒ  Ｍｏｂｉｌｅ  ｃｏｍｍｕｎｉｃａｔｉｏｎｓ、略称ＧＳＭ）、符号分割多重接続（Ｃｏｄｅ  Ｄｉｖｉｓｉｏｎ  Ｍｕｌｔｉｐｌｅ  Ａｃｃｅｓｓ、略称ＣＤＭＡ）システム、時分割多重接続（Ｔｉｍｅ  Ｄｉｖｉｓｉｏｎ  Ｍｕｌｔｉｐｌｅ  Ａｃｃｅｓｓ、略称ＴＤＭＡ）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、周波数分割多重接続（Ｆｒｅｑｕｅｎｃｙ  Ｄｉｖｉｓｉｏｎ  Ｍｕｌｔｉｐｌｅ  Ａｃｃｅｓｓ、略称ＦＤＭＡ）システム、直交周波数分割多重接続（Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ、略称ＯＦＤＭＡ）システム、シングルキャリアＦＤＭＡ（ＳＣ−ＦＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）システム、ＬＴＥシステム、５Ｇ／ＮＲシステム及びその他の通信システムとすることができる。当該例示的な通信システムは具体的にネットワーク側機器及び端末を含み、端末はネットワーク側機器によって提供される移動通信ネットワークにアクセスすると、端末とネットワーク側機器との間で無線リンクを介して通信可能に接続され、当該通信接続の方式はシングルリンク方式、デュアルリンク方式又はマルチリンク方式とすることができ、通信接続の方式がシングルリンク方式である場合、ネットワーク側機器はＬＴＥ基地局又はＮＲ基地局（ｇＮＢ基地局とも称する）とすることができ、通信接続方式がデュアルリンク方式であり（具体的にはキャリアアグリゲーション（Ｃａｒｒｉｅｒ  Ａｇｇｒｅｇａｔｉｏｎ、ＣＡ）技術、又は複数のネットワーク側機器により実現することができる）、且つ、端末が複数のネットワーク側機器に接続される場合、当該複数のネットワーク側機器は主基地局マスターセルグループ（Ｍａｓｔｅｒ  Ｃｅｌｌ  Ｇｒｏｕｐ、ＭＣＧ）及び副基地局セコンダリーセルグループ（Ｓｅｃｏｎｄａｒｙ  Ｃｅｌｌ  Ｇｒｏｕｐ、ＳＣＧ）とすることができ、基地局の間ではバックホール（ｂａｃｋｈａｕｌ）によってデータの返送を行い、主基地局はＬＴＥ基地局とし、副基地局はＬＴＥ基地局とすることができる、又は、主基地局はＮＲ基地局とし、副基地局はＬＴＥ基地局とすることができる、又は、主基地局はＮＲ基地局とし、副基地局はＮＲ基地局とすることができる。
【００２２】
本発明の実施例において、用語「ネットワーク」と「システム」は常に入れ替わって使用されるが、当業者はその意味を理解することができる。本発明の実施例に係る端末は、無線通信機能を有する様々なハンドヘルド機器、車載機器、ウェアラブル機器、コンピューティング機器又は無線モデムに接続されるその他の処理機器、及び様々な形式のユーザ機器（Ｕｓｅｒ  Ｅｑｕｉｐｍｅｎｔ、略称ＵＥ）、移動局（Ｍｏｂｉｌｅ  Ｓｔａｔｉｏｎ、略称ＭＳ）、端末機器（ｔｅｒｍｉｎａｌ  ｄｅｖｉｃｅ）等を含むことができる。説明の便宜上、上述した機器は一括して端末と称する。
【００２３】
図２Ａは、本発明の実施例によって提供されるデータ指示方法である。図２Ａが参照されるように、当該方法は２ａ０１部分、２ａ０２部分及び２ａ０３部分を含む。
２ａ０１部分において、ネットワーク側機器は端末に下りリンク制御シグナリングを送信する。
【００２４】
２ａ０２部分において、前記端末は前記ネットワーク側機器からの前記下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられる。
【００２５】
ただし、前記第１の情報フィールド及び前記第２の情報フィールドはさらに、前記新規のトランスポートブロックに含まれるコードブロックグループの数量を指示するためにも用いられる。
【００２６】
ただし、前記新規のトランスポートブロックは具体的に以下の２種の状況を含む。
１．前記新規のトランスポートブロックは基地局によって１回目に送信されるトランスポートブロックである。
２．前記新規のトランスポートブロックは前記新規のトランスポートブロックの１つ前のトランスポートブロックと異なる。
【００２７】
ただし、前記新規のトランスポートブロックが前記新規のトランスポートブロックの１つ前のトランスポートブロックと異なることとは具体的に、前記新規のトランスポートブロックに含まれるデータ情報が前記１つ前のトランスポートブロックに含まれるデータ情報と異なることである。
【００２８】
ただし、前記第２の情報フィールドが前記下りリンク制御シグナリングによってスケジューリングされるコードブロックグループを指示するために用いられることは、具体的に以下の２種の状況を含む。
１．前記第２の情報フィールドは前記下りリンク制御シグナリングによってスケジューリングされるコードブロックグループの数量を指示するために用いられる。
２．前記第２の情報フィールドは、前記下りリンク制御シグナリングに対応するスケジューリングリソースには前記コードブロックグループがキャリーされるか否かを指示するために用いられる。
【００２９】
ただし、前記下りリンク制御シグナリングによってスケジューリングされるトランスポートブロックは少なくとも１つのコードブロックグループを含み、前記コードブロックグループは少なくとも１つのコードブロックを含む。当該トランスポートブロックにおけるコードブロックグループの分割方策は無作為分割方策、データ量均等分割方策、又は特定のサービスニーズに基づく分割方策等とすることができ、本発明の実施例において、予め設定されたトランスポートブロックにおけるコードブロックグループの分割方策が限定されるものではない。
【００３０】
２ａ０３部分において、前記端末は前記第１の情報フィールド及び前記第２の情報フィールドに基づき、前記新規のトランスポートブロックに含まれるコードブロックグループの数量を確定する。
【００３１】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００３２】
一つの可能な例において、前記第２の情報フィールドはビットマップファイル（Ｂｉｔｍａｐ）の方式で、前記下りリンク制御シグナリングによってスケジューリングされるコードブロックグループを指示する。
【００３３】
ただし、前記第２の情報フィールドのビット長はプロトコルによって取り決められるか、又はネットワーク機器によって配置される。
【００３４】
一つの可能な例において、前記端末が前記第１の情報フィールド及び前記第２の情報フィールドに基づき、前記新規のトランスポートブロックに含まれるコードブロックグループの数量を確定することは、
前記端末が前記第１の情報フィールドに基づき、前記下りリンク制御シグナリングによってスケジューリングされるトランスポートブロックが前記新規のトランスポートブロックであることを確定することと、
前記端末が前記第２の情報フィールドにおける先頭からＫ個目までのビットの値がいずれも予め設定された値である、又は最後のＫ個のビットの値がいずれも前記予め設定された値であることを確定し、ただしＫは正の整数であることと、
前記端末は前記新規のトランスポートブロックに含まれるコードブロックグループの数量がＫであることを確定することとを含む。
【００３５】
ただし、前記予め設定された値は１又は０とすることができ、前記第２の情報フィールドの先頭からＫ個目までのビットの値がいずれも１もしくは０であるか、又は最後のＫ個のビットの値がいずれも１もしくは０である場合、前記新規のトランスポートブロックに含まれるコードブロックグループの数量はＫである。
【００３６】
例えば、前記予め設定された値は１であり、前記第２の情報フィールドが｛１，１，１，０｝である場合、前記新規のトランスポートブロックは３つのコードブロックグループを有することを表し、ただし数値が１である場合、当該スケジューリングリソースには伝送すべきのコードブロックグループが含まれることを表し、数値が０である場合、当該スケジューリングリソースには伝送すべきのコードブロックグループがないことを表す。
【００３７】
以上から分かるように、本例において、端末が第２の情報フィールドにおける予め設定された値に基づきコードブロックグループの数量を確定することにより、フィードバックされる上りリンク制御シグナリングのビット数を確定する際の利便性を向上させるために寄与する。
【００３８】
この可能な例において、前記端末が前記第１の情報フィールド及び前記第２の情報フィールドに基づき、前記新規のトランスポートブロックに含まれるコードブロックグループの数量を確定した後に、前記方法はさらに、
前記端末が前記ネットワーク側機器に、前記新規のトランスポートブロックに関するＫビットに対する確認（ａｃｋｎｏｗｌｅｄｇｅｍｅｎｔ、ＡＣＫ）又は非確認（ｎｏｎ−ａｃｋｎｏｗｌｅｄｇｅｍｅｎｔ、ＮＡＣＫ）情報を送信することを含む。
【００３９】
以上から分かるように、本例において、端末は前記新規のトランスポートブロックに含まれるコードブロックグループの数量を確定する際、前記ネットワーク側機器に、前記トランスポートブロックに関するＫビットに対する確認／非確認（ＡＣＫ／ＮＡＣＫ）情報を送信することにより、ネットワーク側機器がトランスポートブロックの伝送が完了するか否か、又は再送する必要があるか否かを確定するために役立ち、移動通信システムの完備性を向上させるために寄与する。
【００４０】
一つの可能な例において、前記第１の情報フィールドは新規データ（Ｎｅｗ  Ｄａｔａ  Ｉｎｄｉｃａｔｉｏｎ、略称ＮＤＩ）指示情報フィールドである。
【００４１】
ただし、前記端末が前記第１の情報フィールドに基づき、前記下りリンク制御シグナリングによってスケジューリングされるトランスポートブロックが前記新規のトランスポートブロックであることを確定することの具体的な実現形態は、以下のとおりであってもよい。
前記第１の情報フィールドの値が１であり、且つ、前記トランスポートブロックの１つ前のトランスポートブロックをスケジューリングする下りリンク制御シグナリングにおける第１の情報フィールドの値が０である場合、前記端末は前記下りリンク制御シグナリングによってスケジューリングされるトランスポートブロックが新規のトランスポートブロックであることを確定し、
前記第１の情報フィールドの値が０であり、且つ、前記トランスポートブロックの１つ前のトランスポートブロックをスケジューリングする下りリンク制御シグナリングにおける第１の情報フィールドの値が１である場合、前記端末は前記下りリンク制御シグナリングによってスケジューリングされるトランスポートブロックが新規のトランスポートブロックであることを確定する。
【００４２】
一つの可能な例において、前記方法はさらに、
前記端末が前記第１の情報フィールドに基づき、前記下りリンク制御シグナリングによってスケジューリングされるトランスポートブロックが前記新規のトランスポートブロックであることを確定することと、
前記端末が前記第２の情報フィールドにおける先頭からＫ個目までのビットの値は全てが前記予め設定された値であるわけではない、又は前記最後のＫ個のビットの値は全てが前記予め設定された値であるわけではないことを確定することと、
前記端末が前記ネットワーク側機器に、前記新規のトランスポートブロックに対するＡＣＫ／ＮＡＣＫ情報を送信しないこととを含む。
【００４３】
例えば、前記予め設定された値は１であり、前記第２の情報フィールドが｛０，１，０｝である場合、先頭からＫ個目までのビットの値は全てが１であるわけではない、又は前記最後のＫ個のビット的値は全てが１であるわけではないため、前記端末は前記ネットワーク側機器に、前記新規のトランスポートブロックに対するＡＣＫ／ＮＡＣＫ情報を送信しない。
【００４４】
上記図２Ａの実施例と同様に、図２Ｂは、本発明の実施例によって提供される別のデータ指示方法である。図２Ｂが参照されるように、当該方法は２ｂ０１部分〜２ｂ０７部分を含む。
２ｂ０１部分において、ネットワーク側機器は端末に、下りリンク制御シグナリングを送信する。
【００４５】
２ｂ０２部分において、前記端末は前記ネットワーク側機器からの前記下りリンク制御シグナリングを受信し、前記下りリンク制御シグナリングは第１の情報フィールド及び第２の情報フィールドを含む。
【００４６】
２ｂ０３部分において、前記端末は前記第１の情報フィールドに基づき、前記下りリンク制御シグナリングによってスケジューリングされるトランスポートブロックが新規のトランスポートブロックであることを確定する。
【００４７】
２ｂ０４部分において、前記端末は前記第２の情報フィールドにおける先頭からＫ個目までのビットの値がいずれも予め設定された値である、又は最後のＫ個のビットの値がいずれも前記予め設定された値であることを確定し、Ｋは正の整数である。
【００４８】
２ｂ０５部分において、前記端末は前記新規のトランスポートブロックに含まれるコードブロックグループの数量がＫであることを確定する。
【００４９】
２ｂ０６部分において、前記端末はネットワーク側機器に、前記新規のトランスポートブロックに関するＫビットに対するＡＣＫ又はＮＡＣＫ情報を送信する。
【００５０】
２ｂ０７部分において、前記ネットワーク側機器は前記端末からの前記新規のトランスポートブロックに関するＫビットに対するＡＣＫ／ＮＡＣＫ情報を受信する。
【００５１】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００５２】
以下、本発明の実施例を、具体的な適用シーンを用いて具体的に説明する。
【００５３】
図３が参照されるように、通信システムは５Ｇ ＮＲ通信システムであり、ネットワーク側機器は５Ｇ ＮＲにおける基地局ｇＮＢであり、端末は５Ｇ／ＮＲにおけるユーザ機器（ＵＥ）であり、伝送すべきのデータは予め設定されたプロトコルに基づき、１０個のコードブロックに分割され、当該１０個のコードブロックは対応する伝送リソースを指示するめの４つのコードブロックグループに分割され、当該４つのコードブロックグループはトランスポートブロックにカプセル化され、ＵＥはｇＮＢによって送信される、当該トランスポートブロックをスケジューリングするための下りリンク制御シグナリングを受信し、当該下りリンクシグナリングには第１の情報フィールド及び第２の情報フィールドが含まれ、前記第１の情報フィールド（ＮＤＩ）は１であり、前記第２の情報フィールドは下りリンク制御シグナリングによってスケジューリングされるコードブロックグループを指示するための４ビットの情報を含み、前記予め設定された値は１であり、端末は当該トランスポートブロックの１つ前のトランスポートブロックをスケジューリングする下りリンク制御シグナリングにおける第１の情報フィールド（ＮＤＩ）の値が０であることを検出すると、当該トランスポートブロックが新規のトランスポートブロックでることを確定し、次に、第２の情報フィールドにより、前記新規のトランスポートブロックに含まれるコードブロックグループを確定する。
前記第２の情報フィールドが｛１，１，１，１｝である場合、当該新規のトランスポートブロックは４つのコードブロックグループを含む。
前記第２の情報フィールドが｛１，１，１，０｝又は｛０，１，１，１｝である場合、当該新規のトランスポートブロックは３つのコードブロックグループを含むことを表す。
前記第２の情報フィールドが｛１，１，０，０｝又は｛０，０，１，１｝である場合、当該新規のトランスポートブロックは２つのコードブロックグループを含むことを表す。
前記第２の情報フィールドが｛１，０，０，０｝又は｛０，０，０，１｝である場合、当該新規のトランスポートブロックは１つのコードブロックグループを含むことを表す。
【００５４】
上記図２Ａに示される実施例と同様に、図４は本発明の実施例によって提供される端末の構造模式図である。図４が参照されるように、当該端末はプロセッサ、メモリ、通信インタフェース及び１つ又は複数のプログラムを含み、ただし、前記１つ又は複数のプログラムは前記メモリに記憶されており、且つ、前記プロセッサによって実行されるように配置され、前記プログラムは、
端末がネットワーク側機器からの下りリンク制御シグナリングを受信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられるステップと、
前記端末が前記第１の情報フィールド及び前記第２の情報フィールドに基づき、前記新規のトランスポートブロックに含まれるコードブロックグループの数量を確定するステップとを実行するためのコマンドを含む。
【００５５】
以上から分かるように、本発明の実施例において、端末は、最初に、ネットワーク側機器からの下りリンク制御シグナリングを受信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドに基づき、前記新規のトランスポートブロックに含まれるコードブロックグループの数量を確定する。以上から分かるように、下りリンク制御シグナリングにおける第１の情報フィールド及び第２の情報フィールドに基づき、スケジューリングされる新規のトランスポートブロックにおけるコードブロックグループの数量を確定し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００５６】
一つの可能な例において、前記第２の情報フィールドはビットマップ（Ｂｉｔｍａｐ）の方式で、前記下りリンク制御シグナリングによってスケジューリングされるコードブロックグループを指示する。
【００５７】
一つの可能な例において、前記第１の情報フィールド及び前記第２の情報フィールドに基づき、前記新規のトランスポートブロックに含まれるコードブロックグループの数量を確定することに関し、上記プログラムにおけるコマンドは具体的に、前記第１の情報フィールドに基づき、前記下りリンク制御シグナリングによってスケジューリングされるトランスポートブロックが前記新規のトランスポートブロックであることを確定するステップ、前記第２の情報フィールドにおける先頭からＫ個目までのビットの値がいずれも予め設定された値である、又は最後のＫ個のビットの値がいずれも前記予め設定された値であることを確認し、ただしＫは正の整数であるステップ、及び、前記新規のトランスポートブロックに含まれるコードブロックグループの数量がＫであることを確定するステップを実行するために用いられる。
【００５８】
この可能な例において、前記プログラムは、前記第１の情報フィールド及び前記第２の情報フィールドに基づき、前記新規のトランスポートブロックに含まれるコードブロックグループの数量を確定した後、前記ネットワーク側機器に前記新規のトランスポートブロックに関するＫビットに対する確認（ＡＣＫ）又は非確認（ＮＡＣＫ）情報を送信する、ステップを実行するためのコマンドを含む。
【００５９】
一つの可能な例において、前記第１の情報フィールドは新規データ指示（ＮＤＩ）情報フィールドである。
【００６０】
上記図２Ａに示される実施例と同様に、図５は、本発明の実施例によって提供されるネットワーク側機器の構造模式図である。図５が参照されるように、当該ネットワーク側機器はプロセッサ、メモリ、送受信器及び１つ又は複数のプログラムを含み、ただし、前記１つ又は複数のプログラムは前記メモリに記憶されており、且つ、前記プロセッサによって実行されるように配置され、前記プログラムは、
ネットワーク側機器が端末に下りリンク制御シグナリングを送信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられるステップと、
前記ネットワーク側機器が前記第１の情報フィールド及び前記第２の情報フィールドによって前記新規のトランスポートブロックに含まれるコードブロックグループの数量を指示するステップとを実行するためのコマンドを含む。
【００６１】
以上から分かるように、本発明の実施例において、ネットワーク側機器は、最初に、端末に下りリンク制御シグナリングを送信し、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、次に、前記第１の情報フィールド及び前記第２の情報フィールドによって前記新規のトランスポートブロックに含まれるコードブロックグループの数量を指示する。以上から分かるように、下りリンク制御シグナリングにおける第１の情報フィールド及び第２の情報フィールドに基づき、スケジューリングされる新規のトランスポートブロックにおけるコードブロックグループの数量を指示し、端末機器が当該コードブロックグループの数量に基づき、フィードバックされる上りリンク制御シグナリングのビット数を確定することを実現することができ、上りリンク制御シグナリングオーバーヘッドを低減するために寄与する。
【００６２】
一つの可能な例において、前記第２の情報フィールドはビットマップ（Ｂｉｔｍａｐ）の方式で、前記下りリンク制御シグナリングによってスケジューリングされるコードブロックグループを指示する。
【００６３】
一つの可能な例において、前記第１の情報フィールド及び前記第２の情報フィールドにより前記新規のトランスポートブロックに含まれるコードブロックグループの数量を指示することに関し、上記プログラムにおけるコマンドは具体的に、前記第１の情報フィールドにより前記下りリンク制御シグナリングによってスケジューリングされるトランスポートブロックは前記新規のトランスポートブロックであることを指示するステップ、前記第２の情報フィールドにおける先頭からＫ個目までのビットの値がいずれも予め設定された値である、又は最後のＫ個のビットの値がいずれも前記予め設定された値であり、ただしＫは正の整数であるステップ、及び、前記新規のトランスポートブロックに含まれるコードブロックグループの数量がＫであることを指示するステップを実行するために用いられる。
【００６４】
この可能な例において、前記プログラムは、前記第１の情報フィールド及び前記第２の情報フィールドにより、前記新規のトランスポートブロックに含まれるコードブロックグループの数量を指示した後、前記端末によって送信される前記新規のトランスポートブロックに関するＫビットに対する確認（ＡＣＫ）又は非確認（ＮＡＣＫ）情報を受信するステップを実行するためのコマンドを含む。
【００６５】
一つの可能な例において、前記第１の情報フィールドは新規データ指示（ＮＤＩ）情報フィールドである。
【００６６】
上述した説明では、主に各ネットワーク要素同士の間の対話の角度から、本発明の実施例による技術的解決手段について紹介しておる。なお、端末及びネットワーク側機器は上記機能を実現するために、各機能を実行するための対応するハードウェア構造及び／又はソフトウェアモジュールを含む。当業者が理解できるだろうが、本明細書において開示された実施例で説明される各例示的なユニット、アルゴリズム及びステップによれば、本発明は、ハードウェア又はハードウェアとコンピュータソフトウェアの組み合わせの形式により実現することができる。特定の機能は、ハードウェアか、コンピュータソフトウェアがハードウェアを駆動する方式かで実行されるのは、技術的解決手段の特定の用途及び設計上の制限条件により決定される。本分野の技術者は特定の用途ごとに異なる方法を用いて、説明される機能を実現することはできるが、このような実現は本発明の範囲を超えるものとは見なされない。
【００６７】
本発明の実施例は上記方法の例に基づき、端末及びネットワーク側機器に対して機能ユニットの分割を行うことができ、例えば、各機能に対応するように各機能ユニットを分割することもできれば、２つ以上の機能を１つの処理ユニットに集積させてもよい。上記集積されたユニットは、ハードウェアの形式で実現されてもよければ、ソフトウェアプログラムモジュールの形式で実現されてもよい。なお、本発明の実施例におけるユニットの分割は例示的な論理機能上の分割に過ぎず、実現させる際は、別の方式での分割も可能である。
【００６８】
図６は、集積されたユニットが用いられる場合、上記実施例に係る端末の一つの可能な機能ユニットによる構成のブロック図を示す。端末６００は、処理ユニット６０２及び通信ユニット６０３を含む。処理ユニット６０２は、端末の動作に対して制御及び管理を行うために用いられ、例えば、処理ユニット６０２は、端末による図２Ａのステップ２ａ０２〜２ａ０３、図２Ｂのステップ２ｂ０２〜２ｂ０６及び／又は本明細書で説明される技術に用いるその他の過程の実行をサポートするために用いられる。通信ユニット６０３は端末とその他の機器との通信、例えば、図５に示されるネットワーク側機器との間の通信をサポートするために用いられる。端末は、端末のプログラムコード及びデータを記憶するための記憶ユニット６０１をさらに含んでもよい。
【００６９】
ただし、処理ユニット６０２はプロセッサ又はコントローラとすることができ、例えば中央処理装置（Ｃｅｎｔｒａｌ  Ｐｒｏｃｅｓｓｉｎｇ  Ｕｎｉｔ、略称ＣＰＵ）、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）又はその他のプログラマブル論理部品、トランジスタ論理部品、ハードウェア部品又はその任意の組み合わせとすることができる。それは、本発明で開示された内容において説明される様々な例示的な論理ブロック、モジュール及び回路を実現又は実行することができる。前記プロセッサはコンピューティング機能を実現する組み合わせとすることができ、例えば１つ又は複数のマイクロプロセッサを含む組み合わせ、ＤＳＰ及びマイクロプロセッサの組み合わせ等とすることができる。通信ユニット６０３は送受信器、送受信回路等とし、記憶ユニット６０１はメモリとすることができる。
【００７０】
ただし、処理ユニット６０２は前記通信ユニットによってネットワーク側機器からの下りリンク制御シグナリングを受信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドに基づき、前記新規のトランスポートブロックに含まれるコードブロックグループの数量を確定するためにも用いられる。
【００７１】
一つの可能な例において、前記第２の情報フィールドはビットマップ（Ｂｉｔｍａｐ）の方式で、前記下りリンク制御シグナリングによってスケジューリングされるコードブロックグループを指示する。
【００７２】
一つの可能な例において、前記第１の情報フィールド及び前記第２の情報フィールドに基づき、前記新規のトランスポートブロックに含まれるコードブロックグループの数量を確定することに関し、前記処理ユニットは具体的に、前記第１の情報フィールドに基づき、前記下りリンク制御シグナリングによってスケジューリングされるトランスポートブロックが前記新規のトランスポートブロックであることを確定し、前記第２の情報フィールドにおける先頭からＫ個目までのビットの値がいずれも予め設定された値である、又は最後のＫ個のビットの値がいずれも前記予め設定された値であることを確認し（ただしＫは正の整数である）、前記新規のトランスポートブロックに含まれるコードブロックグループの数量がＫであることを確定するために用いられる。
【００７３】
この可能な例において、前記処理ユニットは、前記第１の情報フィールド及び前記第２の情報フィールドに基づき、前記新規のトランスポートブロックに含まれるコードブロックグループの数量を確定した後、さらに、前記通信ユニットによって前記ネットワーク側機器に前記新規のトランスポートブロックに関するＫビットに対する確認（ＡＣＫ）又は非確認（ＮＡＣＫ）情報を送信するためにも用いられる。
【００７４】
一つの可能な例において、前記第１の情報フィールドは新規データ指示（ＮＤＩ）情報フィールドである。
【００７５】
処理ユニット６０２がプロセッサで、通信ユニット６０３が通信インタフェースで、記憶ユニット６０１がメモリである場合、本発明の実施例に係る端末は、図４に示される端末とすることができる。
【００７６】
図７は、集積されたユニットが用いられる場合、上記実施例に係るネットワーク側機器の一つの可能な機能ユニットによる構成のブロック図を示す。ネットワーク側機器７００は、処理ユニット７０２及び通信ユニット７０３を含む。処理ユニット７０２はネットワーク側機器の動作に対して制御及び管理を行うために用いられ、例えば、処理ユニット７０２はネットワーク側機器による図２Ａのステップ２ａ０１、図２Ｂのステップ２ｂ０１、２ｂ０７及び／又は本明細書で説明される技術に用いるその他の過程の実行をサポートするために用いられる。通信ユニット７０３はネットワーク側機器とその他の機器との通信、例えば図４に示される端末との間の通信をサポートするために用いられる。ネットワーク側機器はネットワーク側機器のプログラムコード及びデータを記憶するための記憶ユニット７０１をさらに含んでもよい。
【００７７】
ただし、処理ユニット７０２はプロセッサ又はコントローラとし、例えば、中央処理装置（Ｃｅｎｔｒａｌ  Ｐｒｏｃｅｓｓｉｎｇ  Ｕｎｉｔ、略称ＣＰＵ）、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）又はその他のプログラマブル論理部品、トランジスタ論理部品、ハードウェア部品又はその任意の組み合わせとすることができる。それは、本発明で開示された内容において説明される様々な例示的な論理ブロック、モジュール及び回路を実現又は実行することができる。前記プロセッサはコンピューティング機能を実現する組み合わせとすることができ、例えば１つ又は複数のマイクロプロセッサを含む組み合わせ、ＤＳＰ及びマイクロプロセッサの組み合わせ等とすることができる。通信ユニット７０３は送受信器、送受信回路、ＲＦチップ等とすることができ、記憶ユニット７０１はメモリとすることができる。
【００７８】
ただし、処理ユニット７０２は前記通信ユニットによって端末に下りリンク制御シグナリングを送信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドにより前記新規のトランスポートブロックに含まれるコードブロックグループの数量を指示するためにも用いられる。
【００７９】
一つの可能な例において、前記第２の情報フィールドはビットマップ（Ｂｉｔｍａｐ）の方式で、前記下りリンク制御シグナリングによってスケジューリングされるコードブロックグループを指示する。
【００８０】
一つの可能な例において、前記第１の情報フィールド及び前記第２の情報フィールドにより前記新規のトランスポートブロックに含まれるコードブロックグループの数量を指示することに関し、前記処理ユニットは具体的に、前記第１の情報フィールドにより前記下りリンク制御シグナリングによってスケジューリングされるトランスポートブロックが前記新規のトランスポートブロックであることを指示し、前記第２の情報フィールドにおける先頭からＫ個目までのビットの値がいずれも予め設定された値である、又は最後のＫ個のビットの値がいずれも前記予め設定された値である（ただしＫは正の整数である）ことを指示し、及び、前記新規のトランスポートブロックに含まれるコードブロックグループの数量がＫであることを指示するために用いられる。
【００８１】
この可能な例において、前記処理ユニットは、前記第１の情報フィールド及び前記第２の情報フィールドにより前記新規のトランスポートブロックに含まれるコードブロックグループの数量を指示した後、さらに、前記通信ユニットによって、前記端末によって送信される前記新規のトランスポートブロックに関するＫビットに対する確認（ＡＣＫ）又は非確認（ＮＡＣＫ）情報を受信するためにも用いられる。
【００８２】
一つの可能な例において、前記第１の情報フィールドは新規データ指示（ＮＤＩ）情報フィールドである。
【００８３】
処理ユニット７０２がプロセッサで、通信ユニット７０３が通信インタフェースで、記憶ユニット７０１がメモリである場合、本発明の実施例に係るネットワーク側機器は図５に示されるネットワーク側機器とすることができる。
【００８４】
本発明の実施例はさらに、別の端末を提供する。図８に示されるように、説明の便宜上、本発明の実施例に関連する部分だけが示され、明示されない具体的な技術詳細は、本発明の実施例の方法の部分を参照する。当該端末は携帯電話、タブレットパソコン、ＰＤＡ（Ｐｅｒｓｏｎａｌ  Ｄｉｇｉｔａｌ  Ａｓｓｉｓｔａｎｔ、携帯情報端末）、ＰＯＳ（Ｐｏｉｎｔ  ｏｆ  Ｓａｌｅｓ、販売時点情報管理端末）、車載コンピュータ等を含む、任意端末機器とすることができ、端末が携帯電話である場合を例にすると、
図８に示すのは、本発明の実施例によって提供される端末に関連する携帯電話の一部構造のブロック図である。図８が参照されるように、携帯電話は、ＲＦ（Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（Ｗｉｒｅｌｅｓｓ  Ｆｉｄｅｌｉｔｙ、略称ＷｉＦｉ）モジュール９７０、プロセッサ９８０、及び電源９９０等要素を含む。当業者が理解できるだろうが、図８に示される携帯電話の構造は携帯電話に対する限定を構成せず、より多いもしくは少ない要素を含む、又は一部の要素を組み合わせる、又は異なる要素配置を取ることもできる。
【００８５】
以下、図８を参照して携帯電話の各構成要素に対して具体的に紹介する。
ＲＦ回路９１０は情報を受信及び送信するために用いることができる。一般的に、ＲＦ回路９１０はアンテナ、少なくとも１つのアンプ、送受信器、コネクタ、ローノイズアンプ（Ｌｏｗ  Ｎｏｉｓｅ  Ａｍｐｌｉｆｉｅｒ、略称ＬＮＡ）、デュプレクサ等を含むが、これらに限定されない。また、ＲＦ回路９１０は無線通信によって、ネットワーク及びその他の機器と通信することもできる。上記無線通信には、任意の通信規格又はプロトコルを用いることができ、このような通信規格として、グローバル移動体通信システム（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、符号分割多重接続（Ｃｏｄｅ  Ｄｉｖｉｓｉｏｎ  Ｍｕｌｔｉｐｌｅ  Ａｃｃｅｓｓ、略称ＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）、ロングタームエヴォリューション（Ｌｏｎｇ  Ｔｅｒｍ  Ｅｖｏｌｕｔｉｏｎ、略称ＬＴＥ）、電子メール、ショートメッセージサービス（Ｓｈｏｒｔ  Ｍｅｓｓａｇｉｎｇ  Ｓｅｒｖｉｃｅ、略称ＳＭＳ）等を含むが、これらに限定されない。
【００８６】
メモリ９２０は、ソフトウェアプログラム及びモジュールを記憶するために用いることができ、プロセッサ９８０はメモリ９２０に記憶されるソフトウェアプログラム及びモジュールを動作させることにより、携帯電話の各種の機能的なアプリケーション及びデータ処理を実行する。メモリ９２０は主にプログラム記憶領域及びデータ記憶領域を含んでもよく、ただし、プログラム記憶領域はオペレーティングシステム、少なくとも１つの機能に必要なアプリケーションプログラム等を記憶することができ、データ記憶領域は携帯電話の使用中に作成されるデータ等を記憶することができる。また、メモリ９２０は高速ダイナミックランダムアクセスメモリを含むことができ、さらに、非揮発性メモリ、例えば少なくとも１つの磁気ディスク記憶部品、フラッシュメモリ部品、又はその他の揮発性ソリッドステート記憶部品を含んでもよい。
【００８７】
入力ユニット９３０は入力される数字又は文字情報を受信し、携帯電話のユーザ設定及び機能制御に関係するキー信号の入力を生成するために用いることができる。具体的に、入力ユニット９３０は指紋認識モジュール９３１及びその他の入力機器９３２を含むことができる。指紋認識モジュール９３１は、ユーザの指紋データを採取することができる。指紋認識モジュール９３１に加え、入力ユニット９３０はその他の入力機器９３２をさらに含んでもよい。具体的に、その他の入力機器９３２はタッチパネル、物理キーボード、ファンクションキー（例えば、音量調整ボタン、スイッチボタン等）、トラックボール、マウス、ジョイスティック等の１種以上を含むことができるが、これらに限定されない。
【００８８】
表示ユニット９４０はユーザによって入力される情報又はユーザに対して提供される情報及び携帯電話の様々なメニューを表示するために用いることができる。表示ユニット９４０はディスプレイ９４１を含んでもよく、一実施例において、液晶ディスプレイ（Ｌｉｑｕｉｄ  Ｃｒｙｓｔａｌ  Ｄｉｓｐｌａｙ、略称ＬＣＤ）、有機発光ダイオード（Ｏｒｇａｎｉｃ  Ｌｉｇｈｔ−Ｅｍｉｔｔｉｎｇ  Ｄｉｏｄｅ、略称ＯＬＥＤ）等形式でディスプレイ９４１を配置することができる。図８において、指紋認識モジュール９３１及びディスプレイ９４１は２つの独立した要素として、携帯電話の入力及び出力機能を実現するが、いくつかの実施例において、指紋認識モジュール９３１をディスプレイ９４１に集積させて携帯電話の入力及び再生機能を実現することもできる。
【００８９】
携帯電話は少なくとも１種のセンサー９５０、例えば光センサー、運動センサー及びその他のセンサーをさらに含んでもよい。具体的に、光センサーは環境光センサー及び近接センサーを含むことができ、なお、環境光センサーは環境光の明暗に基づきディスプレイ９４１の明るさを調節することができ、近接センサーは携帯電話が耳元に近づく時、ディスプレイ９４１及び／又はバックライトをオフすることができる。運動センサーの一種として、加速度センサーは各方向（一般的に３軸）の加速度の大きさを検出することができ、静止時は、重力の大きさ及び方向を検出することができ、携帯電話の姿勢を認識するアプリケーション（例えば、縦／横画面表示切替、関連するゲーム、磁力計姿勢較正）、振動認識に関連する機能（例えば歩数計、打撃）等に用いることができる。なお、携帯電話に配置可能なジャイロスコープ、気圧計、湿度計、温度計、赤外線センサー等その他のセンサーに関しては、ここでは贅言しない。
【００９０】
オーディオ回路９６０、スピーカー９６１、マイクロフォン９６２はユーザと携帯電話との間のオーディオインターフェースを提供する。オーディオ回路９６０は受信されたオーディオデータを変換してなる電気信号をスピーカー９６１に伝送して、スピーカー９６１によって音声信号に変換して再生することができる。また、マイクロフォン９６２は收集された音声信号を電気信号に変換し、オーディオ回路９６０によって受信されるとオーディオデータに変換し、次にオーディオデータ再生プロセッサ９８０によって処理された後、ＲＦ回路９１０によって、例えば別の携帯電話に送信するか、又はオーディオデータをメモリ９２０に渡して、更なる処理に付する。
【００９１】
ＷｉＦｉは短距離無線伝送技術であり、携帯電話のＷｉＦｉモジュール９７０によってユーザは電子メールを送受信し、ウェブページを閲覧し、ストリーミングメディアにアクセスすることができ、ユーザに無線での広帯域インターネットアクセスを提供する。図８にはＷｉＦｉモジュール９７０が示されるが、それは携帯電話の必須の構成要素ではないことは理解される。場合によって、発明の趣旨が変わらない範囲において省略することもできる。
【００９２】
プロセッサ９８０は携帯電話が制御を行うためのコア要素であり、様々なインタフェース及び回路によって携帯電話の各部分と接続され、メモリ９２０に記憶されているソフトウェアプログラム及び／又はモジュールを動作又は実行させる、且つメモリ９２０に記憶されているデータを呼び出して、携帯電話の様々な機能を実行しデータを処理することにより、携帯電話に対して全般的監視を行う。一実施例において、プロセッサ９８０が１つ又は複数の処理ユニットを含んでもよい。より好ましくは、プロセッサ９８０にアプリケーションプロセッサ及び変復調プロセッサが集積されてもよく、ただし、アプリケーションプロセッサは主にオペレーティングシステム、ユーザインタフェース及びアプリケーションプログラム等がその処理対象であり、変復調プロセッサは主に無線通信がその処理対象である。なお、上記変復調プロセッサはプロセッサ９８０に集積されなくてもよい。
【００９３】
携帯電話は各要素に給電する電源９９０（例えば電池）を含み、好ましくは、電源が電源管理システムを介してプロセッサ９８０と論理的に接続されることにより、電源管理システムによって充電・放電管理、及び電力消費管理等の機能を実現する。
【００９４】
図示されていないが、携帯電話はカメラ、ブルートゥースモジュール等をさらに含んでもよく、ここでは贅言しない。
【００９５】
前述した図２Ａ〜２Ｂの実施例において、各ステップの方法で端末側のプロセスは当該携帯電話の構造により実現することができる。
【００９６】
前述した図４、図５の実施例において、各ユニット機能は当該携帯電話の構造により実現することができる。
【００９７】
本発明の実施例はさらに、コンピュータ可読記憶媒体を提供し、ただし、前記コンピュータ可読記憶媒体は電子データを交換するためのコンピュータプログラムを記憶し、なお、前記コンピュータプログラムにより、コンピュータは上記方法の実施例で端末について説明される一部又は全てのステップを実行する。
【００９８】
本発明の実施例はさらに、コンピュータ可読記憶媒体を提供し、ただし、前記コンピュータ可読記憶媒体は電子データを交換するためのコンピュータプログラムを記憶し、なお、前記コンピュータプログラムにより、コンピュータは上記方法の実施例でネットワーク側機器について説明される一部又は全てのステップを実行する。
【００９９】
本発明の実施例はさらに、コンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは上記方法の実施例で端末について説明される一部又は全てのステップを実行する。当該コンピュータプログラム製品は１つのソフトウェアインストールパッケージであってもよい。
【０１００】
本発明の実施例はさらに、コンピュータプログラム製品を提供し、ただし、前記コンピュータプログラム製品はコンピュータプログラムが記憶されている非一時的なコンピュータ可読記憶媒体を含み、前記コンピュータプログラムでの操作により、コンピュータは上記方法でネットワーク側機器について説明される一部又は全てのステップを実行する。当該コンピュータプログラム製品は１つのソフトウェアインストールパッケージであってもよい。
【０１０１】
本発明の実施例で説明される方法又はアルゴリズム、ステップは、ハードウェアの方式で実現されてもよければ、プロセッサがソフトウェアコマンドを実行する方式で実現されてもよい。ソフトウェアコマンドは対応するソフトウェアモジュールからなってもよく、ソフトウェアモジュールはランダムアクセスメモリ（Ｒａｎｄｏｍ  Ａｃｃｅｓｓ  Ｍｅｍｏｒｙ、略称ＲＡＭ）、フラッシュメモリ、リードオンリーメモリ（Ｒｅａｄ  Ｏｎｌｙ  Ｍｅｍｏｒｙ、略称ＲＯＭ）、消去可能プログラマブル読み出し専用メモリ（Ｅｒａｓａｂｌｅ  Ｐｒｏｇｒａｍｍａｂｌｅ  ＲＯＭ、略称ＥＰＲＯＭ）、電気的消去可能プログラマブル読み出し専用メモリ（Ｅｌｅｃｔｒｉｃａｌｌｙ  ＥＰＲＯＭ、略称ＥＥＰＲＯＭ）、レジスタ、ハードディスク、ポータブルハードディスク、読み出し専用光ディスク（ＣＤ−ＲＯＭ）又は本分野で一般的に知られる任意のその他の形式の記憶媒体に収容することができる。例示的な記憶媒体がプロセッサに接続されることによって、プロセッサは当該記憶媒体から情報を読み取り、且つ、当該記憶媒体に情報を書き込むことができる。当然ながら、記憶媒体はプロセッサを構成する部分とすることもできる。プロセッサ及び記憶媒体はＡＳＩＣに配置されてもよい。また、当該ＡＳＩＣはアクセスネットワーク機器、目的ネットワーク機器又はコアネットワーク機器に配置されてよい。当然ながら、プロセッサ及び記憶媒体はディスクリート部品として、アクセスネットワーク機器、目的ネットワーク機器又はコアネットワーク機器に存在してもよい。
【０１０２】
当業者が意識できるだろうが、上記１つ又は複数の例で、本発明の実施例で説明される機能はその全て又は一部がソフトウェア、ハードウェア、ファームウェア又はその任意の組み合わせにより実現することができる。ソフトウェアによって実現される場合、その全て又は一部はコンピュータプログラム製品の形式で実現されてよい。前記コンピュータプログラム製品は１つ又は複数のコンピュータコマンドを含む。コンピュータで前記コンピュータプログラムコードをロードし実行する際、本発明の実施例に記載のプロセス又は機能の全て又はその一部を生成する。前記コンピュータは汎用コンピュータ、専用コンピュータ、コンピュータネットワーク、又はその他のプログラマブル装置とすることができる。前記コンピュータコマンドはコンピュータ可読記憶媒体に記憶されるか、又は１つのコンピュータ可読記憶媒体からもう１つのコンピュータ可読記憶媒体に対して伝送されてもよい。例えば、前記コンピュータコマンドは１つのウェブサイト、コンピュータ、サーバ又はデータセンタから有線（例えば同軸ケーブル、光ファイバー、デジタル加入者線（Ｄｉｇｉｔａｌ  Ｓｕｂｓｃｒｉｂｅｒ  Ｌｉｎｅ、略称ＤＳＬ））又は無線（例えば赤外、無線、マイクロ波等）方式で別のウェブサイト、コンピュータ、サーバ又はデータセンタに対して伝送されてもよい。前記コンピュータ可読記憶媒体はコンピュータがアクセス可能なあらゆる使用可能な媒体であるか、又は１つ又は複数の使用可能な媒体が集積されたサーバ、データセンタ等データ記憶機器を含む。前記使用可能な媒体は磁気媒体（例えば、フロッピーディスク、ハードディスク、磁気テープ）、光媒体（例えば、デジタルビデオディスク（Ｄｉｇｉｔａｌ  Ｖｉｄｅｏ  Ｄｉｓｃ、略称ＤＶＤ））、又は半導体媒体（例えば、ソリッドステートハードディスク（Ｓｏｌｉｄ  Ｓｔａｔｅ  Ｄｉｓｋ、略称ＳＳＤ））等とすることができる。
【０１０３】
上記具体的な実施形態により、本発明の実施例の目的、技術的解決手段及び有益な効果についてより詳細な説明がなされるが、上述した内容は、本発明の実施例の具体的な実施形態に過ぎず、本発明の実施例の保護範囲はこれに限定されるものではない。本発明の実施例の技術的解決手段をベースになされたあらゆる修正、同等な差し替え、改良等は、いずれも本発明の実施例による保護範囲に含まれるものとする。
【手続補正２】
【補正対象書類名】特許請求の範囲
【補正対象項目名】全文
【補正方法】変更
【補正の内容】
【特許請求の範囲】
【請求項１】
データ指示方法であって、
端末がネットワーク側機器からの下りリンク制御シグナリングを受信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記端末が前記第１の情報フィールド及び前記第２の情報フィールドに基づき、前記新規のトランスポートブロックに含まれるコードブロックグループの数量を確定することとを含むことを特徴とするデータ指示方法。
【請求項２】
前記端末が前記第１の情報フィールド及び前記第２の情報フィールドに基づき、前記新規のトランスポートブロックに含まれるコードブロックグループの数量を確定することは、
前記端末が前記第１の情報フィールドに基づき、前記下りリンク制御シグナリングによってスケジューリングされるトランスポートブロックが前記新規のトランスポートブロックであることを確定することと、
前記端末が前記第２の情報フィールドにおける先頭からＫ個目までのビットの値がいずれも予め設定された値である、又は最後のＫ個のビットの値がいずれも前記予め設定された値であることを確定し、ただしＫは正の整数であることと、
前記端末は前記新規のトランスポートブロックに含まれるコードブロックグループの数量がＫであることを確定することとを含むことを特徴とする請求項１に記載の方法。
【請求項３】
前記端末が前記第１の情報フィールド及び前記第２の情報フィールドに基づき、前記新規のトランスポートブロックに含まれるコードブロックグループの数量を確定した後に、前記方法はさらに、
前記端末が前記ネットワーク側機器に、前記新規のトランスポートブロックに関するＫビットに対する確認ＡＣＫ又は非確認ＮＡＣＫ情報を送信することを含むことを特徴とする請求項２に記載の方法。
【請求項４】
データ指示方法であって、
ネットワーク側機器が端末に対して下りリンク制御シグナリングを送信し、ただし前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられることと、
前記ネットワーク側機器が前記第１の情報フィールド及び前記第２の情報フィールドによって前記新規のトランスポートブロックに含まれるコードブロックグループの数量を指示することとを含むことを特徴とするデータ指示方法。
【請求項５】
前記ネットワーク側機器が前記第１の情報フィールド及び前記第２の情報フィールドによって前記新規のトランスポートブロックに含まれるコードブロックグループの数量を指示することは、
前記ネットワーク側機器が前記第１の情報フィールドにより前記下りリンク制御シグナリングによってスケジューリングされるトランスポートブロックが前記新規のトランスポートブロックであることを指示することと、
前記ネットワーク側機器が前記第２の情報フィールドにおける先頭からＫ個目までのビットの値がいずれも予め設定された値である、又は最後のＫ個のビットの値がいずれも前記予め設定された値であることを指示し、ただしＫは正の整数であることと、
前記ネットワーク側機器が前記新規のトランスポートブロックに含まれるコードブロックグループの数量がＫであることを指示することとを含むことを特徴とする請求項４に記載の方法。
【請求項６】
前記ネットワーク側機器が前記第１の情報フィールド及び前記第２の情報フィールドによって前記新規のトランスポートブロックに含まれるコードブロックグループの数量を指示した後に、前記方法はさらに、
前記ネットワーク側機器が前記端末によって送信される前記新規のトランスポートブロックに関するＫビットに対する確認ＡＣＫ又は非確認ＮＡＣＫ情報を受信することを含む特徴とする請求項５に記載の方法。
【請求項７】
端末であって、処理ユニットと、通信ユニットとを含み、
前記処理ユニットは、前記通信ユニットによってネットワーク側機器からの下りリンク制御シグナリングを受信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドに基づき、前記新規のトランスポートブロックに含まれるコードブロックグループの数量を確定するためにも用いられることを特徴とする端末。
【請求項８】
前記第２の情報フィールドはビットマップＢｉｔｍａｐの方式で、前記下りリンク制御シグナリングによってスケジューリングされるコードブロックグループを指示することを特徴とする請求項７に記載の端末。
【請求項９】
前記第１の情報フィールド及び前記第２の情報フィールドに基づき、前記新規のトランスポートブロックに含まれるコードブロックグループの数量を確定することに関し、前記処理ユニットは具体的に、前記第１の情報フィールドに基づき、前記下りリンク制御シグナリングによってスケジューリングされるトランスポートブロックが前記新規のトランスポートブロックであることを確定し、前記第２の情報フィールドにおける先頭からＫ個目までのビットの値がいずれも予め設定された値である、又は最後のＫ個のビットの値がいずれも前記予め設定された値であることを確認し、ただしＫは正の整数であり、前記新規のトランスポートブロックに含まれるコードブロックグループの数量がＫであることを確定するために用いられることを特徴とする請求項７又は請求項８に記載の端末。
【請求項１０】
前記第１の情報フィールド及び前記第２の情報フィールドに基づき、前記新規のトランスポートブロックに含まれるコードブロックグループの数量を確定した後に、前記処理ユニットはさらに、
前記端末が前記ネットワーク側機器に、前記新規のトランスポートブロックに関するＫビットに対する確認ＡＣＫ又は非確認ＮＡＣＫ情報を送信することを特徴とする請求項９に記載の端末。
【請求項１１】
前記第１の情報フィールドは新規データ指示ＮＤＩ情報フィールドであることを特徴とする請求項７に記載の端末。
【請求項１２】
ネットワーク側機器であって、処理ユニットと、通信ユニットとを含み、
前記処理ユニットは、前記通信ユニットによって端末に下りリンク制御シグナリングを送信するために用いられ、前記下りリンク制御シグナリングは第１の情報フィールド及び第２の情報フィールドを含み、前記第１の情報フィールドは前記下りリンク制御シグナリングによってスケジューリングされるトランスポートブロックが新規のトランスポートブロックであるか否かを指示するために用いられ、前記第２の情報フィールドは前記下りリンク制御シグナリングによってスケジューリングされるコードブロックグループを指示するために用いられ、
前記処理ユニットはさらに、前記第１の情報フィールド及び前記第２の情報フィールドにより前記新規のトランスポートブロックに含まれるコードブロックグループの数量を指示するためにも用いられることを特徴とするネットワーク側機器。
【請求項１３】
前記第２の情報フィールドはビットマップＢｉｔｍａｐの方式で、前記下りリンク制御シグナリングによってスケジューリングされるコードブロックグループを指示することを特徴とする請求項１２に記載のネットワーク側機器。
【請求項１４】
前記第１の情報フィールド及び前記第２の情報フィールドにより前記新規のトランスポートブロックに含まれるコードブロックグループの数量を指示することに関し、前記処理ユニットは具体的に、前記第１の情報フィールドにより前記下りリンク制御シグナリングによってスケジューリングされるトランスポートブロックが前記新規のトランスポートブロックであることを指示し、前記第２の情報フィールドにおける先頭からＫ個目までのビットの値がいずれも予め設定された値である、又は最後のＫ個のビットの値がいずれも前記予め設定された値であることを指示し、ただしＫは正の整数であり、前記新規のトランスポートブロックに含まれるコードブロックグループの数量がＫであることを指示するために用いられることを特徴とする請求項１２又は請求項１３に記載のネットワーク側機器。
【請求項１５】
前記第１の情報フィールド及び前記第２の情報フィールドにより前記新規のトランスポートブロックに含まれるコードブロックグループの数量を指示した後に、前記処理ユニットはさらに、
前記端末によって送信される前記新規のトランスポートブロックに関するＫビットに対する確認ＡＣＫ又は非確認ＮＡＣＫ情報を受信することを特徴とする請求項１４に記載のネットワーク側機器。
【手続補正３】
【補正対象書類名】図面
【補正対象項目名】全図
【補正方法】変更
【補正の内容】
【図１】
2020530215.tif 000012
【図２Ａ】
2020530215.tif 000013
【図２Ｂ】
2020530215.tif 000014
【図３】
2020530215.tif 000015
【図４】
2020530215.tif 000016
【図５】
2020530215.tif 000017
【図６】
2020530215.tif 000018
【図７】
2020530215.tif 000019
【図８】
2020530215.tif 000020
【国際調査報告】
2020530215.tif 000021
2020530215.tif 000022
2020530215.tif 000023
2020530215.tif 000024
2020530215.tif 000025
2020530215.tif 000026